(57)【特許請求の範囲】
【請求項１】
ワイヤレス通信システム内のノード間の調整された送信を行うための方法であって、
第１の基地局と第２の基地局との間で、ダウンリンク（ＤＬ）チャネル・リソース構成を、制御チャネルを含むＤＬチャネルについて決定することであって、前記ＤＬチャネル・リソース構成は前記第２の基地局と前記第１の基地局によるサービスを受けるユーザー機器（ＵＥ）との間の干渉を最小にするように決定され、前記干渉を最小にすることは前記第１の基地局からの１つまたは複数のチャネルと前記第２の基地局からの１つまたは複数のチャネルとの間の衝突を所定の閾値より低い値に低減するＤＬチャネル・リソース構成を決定することを含むことと、
前記第２の基地局から、前記ＤＬチャネル・リソース構成に従って制御チャネル信号を送信することと、
を備える方法。
【請求項２】
前記決定することは、制御チャネル・シグナリングのために前記第１の基地局と前記第２の基地局との間に異なる数のシンボルを割り当てることを含む請求項１に記載の方法。
【請求項３】
前記ＤＬチャネル・リソース構成は、リソース要素（ＲＥ）レベル、ＲＥＧレベル、および制御チャネル要素（ＣＣＥ）レベルのうちの少なくとも１つに基づき決定されたチャネル構成に関係する請求項１に記載の方法。
【請求項４】
前記ＤＬチャネル・リソース構成は、１つまたは複数のサブフレームに関して動的にまたは半静的に決定される請求項１に記載の方法。
【請求項５】
前記ＤＬチャネル・リソース構成は、無線フレームの部分集合に関して決定される請求項１に記載の方法。
【請求項６】
前記ＤＬチャネルは、物理ダウンリンク共有チャネル（ＰＤＳＣＨ）をさらに備える請求項１に記載の方法。
【請求項７】
前記ＤＬチャネルは、物理ダウンリンク制御チャネル（ＰＤＣＣ）、物理制御フォーマット・インジケータ・チャネル（ＰＣＦＩＣＨ）、物理ハイブリッドＡＲＱインジケータ（ＰＨＩＣＨ）チャネルのうちの１つまたは複数を備える請求項１に記載の方法。
【請求項８】
前記衝突を低減することは、前記第１の基地局からの前記１つまたは複数のチャネルと前記第２の基地局からの前記１つまたは複数のチャネルとの間の衝突の割合を前記所定の閾値より低い値に設定するように前記ＤＬチャネル・リソース構成を決定することを含む請求項１に記載の方法。
【請求項９】
前記１つまたは複数のチャネルは、ＰＤＣＣＨ、ＰＣＦＩＣＨ、ＰＨＩＣＨ、およびＰＤＳＣＨのうちの１つまたは複数を含む請求項８に記載の方法。
【請求項１０】
コンピュータに、
第１の基地局と第２の基地局との間で、ダウンリンク（ＤＬ）チャネル・リソース構成を、制御チャネルを含むＤＬチャネルについて決定することであって、前記ＤＬチャネル・リソース構成は前記第２の基地局と前記第１の基地局によるサービスを受けるユーザー機器（ＵＥ）との間の干渉を最小にするように決定され、前記干渉を最小にすることは前記第１の基地局からの１つまたは複数のチャネルと前記第２の基地局からの１つまたは複数のチャネルとの間の衝突を所定の閾値より低い値に低減するＤＬチャネル・リソース構成を決定することを含むことと、
前記第２の基地局から、前記ＤＬチャネル・リソース構成に従って制御チャネル信号を送信することと、を行わせるためのコードを格納するコンピュータ読み取り可能な記億媒体。
【請求項１１】
前記コードは、第１の基地局と第２の基地局との間で制御チャネル・シグナリングのために前記第１の基地局と前記第２の基地局との間に異なる数のシンボルを割り当てることによって決定するためのコードを含む請求項１０に記載のコンピュータ読取可能な記億媒体。
【請求項１２】
前記ＤＬチャネル・リソース構成は、リソース要素（ＲＥ）レベル、ＲＥＧレベル、および制御チャネル要素（ＣＣＥ）レベルのうちの少なくとも１つに基づき決定されたチャネル構成に関係する請求項１０に記載のコンピュータ読み取り可能な記億媒体。
【請求項１３】
前記ＤＬチャネル・リソース構成は、１つまたは複数のサブフレームに関して動的にまたは半静的に決定される請求項１０に記載のコンピュータ読み取り可能な記億媒体。
【請求項１４】
前記コードは、前記ＤＬチャネル・リソース構成を無線フレームの部分集合に関して決定するためのコードを含む請求項１０に記載のコンピュータ読み取り可能な記億媒体。
【請求項１５】
前記ＤＬチャネルは、物理ダウンリンク共有チャネル（ＰＤＳＣＨ）をさらに備える請求項１０に記載のコンピュータ読み取り可能な記億媒体。
【請求項１６】
前記ＤＬチャネルは、物理ダウンリンク制御チャネル（ＰＤＣＣ）、物理制御フォーマット・インジケータ・チャネル（ＰＣＦＩＣＨ）、物理ハイブリッドＡＲＱインジケータ（ＰＨＩＣＨ）チャネルのうちの１つまたは複数を備える請求項１０に記載のコンピュータ読み取り可能な記億媒体。
【請求項１７】
前記コードは、前記第１の基地局からの前記１つまたは複数のチャネルと前記第２の基地局からの前記１つまたは複数のチャネルとの間の衝突の割合を前記所定の閾値より低い値に設定するように前記ＤＬチャネル・リソース構成を決定するためのコードを含む請求項１０に記載のコンピュータ読み取り可能な記億媒体。
【請求項１８】
前記１つまたは複数のチャネルは、ＰＤＣＣ、ＰＣＦＩＣＨ、ＰＨＩＣＨ、およびＰＤＳＣＨのうちの１つまたは複数を含む請求項１０に記載のコンピュータ読取み可り能な記億媒体。
【請求項１９】
通信デバイスであって、
第１の基地局と第２の基地局との間で、ダウンリンク（ＤＬ）チャネル・リソース構成を、制御チャネルを含むＤＬチャネルについて決定するように構成されたプロセッサモジュールであって、前記ＤＬチャネル・リソース構成は前記第２の基地局と前記第１の基地局によるサービスを受けるユーザー機器（ＵＥ）との間の干渉を最小にするように決定され、前記干渉を最小にすることは前記第１の基地局からの１つまたは複数のチャネルと前記第２の基地局からの１つまたは複数のチャネルとの間の衝突を所定の閾値より低い値に低減するＤＬチャネル・リソース構成を決定することを含む、プロセッサモジュールと、
前記第２の基地局から、前記ＤＬチャネル・リソース構成に従って制御チャネル信号を送信するように構成された送信機モジュールと、
を備える通信デバイス。
【請求項２０】
前記プロセッサモジュールは、制御チャネル・シグナリングのために前記第１の基地局と前記第２の基地局との間に異なる数のシンボルを割り当てることによって前記リソース構成を決定するように構成される請求項１９に記載の通信デバイス。
【請求項２１】
前記ＤＬチャネル・リソース構成は、リソース要素（ＲＥ）レベル、ＲＥＧレベル、および制御チャネル要素（ＣＣＥ）レベルのうちの少なくとも１つに基づき決定されたチャネル構成に関係する請求項１９に記載の通信デバイス。
【請求項２２】
前記プロセッサモジュールは、１つまたは複数のサブフレームに関して前記ＤＬチャネル・リソース構成を動的にまたは半静的に決定するように構成される請求項１９に記載の通信デバイス。
【請求項２３】
前記プロセッサモジュールは、前記ＤＬチャネル・リソース構成を無線フレームの部分集合に関して決定するように構成される請求項１９に記載の通信デバイス。
【請求項２４】
前記ＤＬチャネルは、物理ダウンリンク共有チャネル（ＰＤＳＣＨ）をさらに備える請求項１９に記載の通信デバイス。
【請求項２５】
前記ＤＬチャネルは、物理ダウンリンク制御チャネル（ＰＤＣＣ）、物理制御フォーマット・インジケータ・チャネル（ＰＣＦＩＣＨ）、物理ハイブリッドＡＲＱインジケータ（ＰＨＩＣＨ）チャネルのうちの１つまたは複数を備える請求項１９に記載の通信デバイス。
【請求項２６】
前記プロセッサは、前記第１の基地局からの前記１つまたは複数のチャネルと前記第２の基地局からの前記１つまたは複数のチャネルとの間の衝突の割合を前記所定の閾値より低い値に設定するように前記ＤＬチャネル・リソース構成を決定することによって干渉を最小にするように構成される請求項１９に記載の通信デバイス。
【請求項２７】
前記１つまたは複数のチャネルは、ＰＤＣＣ、ＰＣＦＩＣＨ、ＰＨＩＣＨ、およびＰＤＳＣＨのうちの１つまたは複数を含む請求項２６に記載の通信デバイス。
【請求項２８】
通信デバイスであって、
第１の基地局と第２の基地局との間で、ダウンリンク（ＤＬ）チャネル・リソース構成を制御チャネルを含むＤＬチャネルについて決定するための手段であって、前記ＤＬチャネル・リソース構成は前記第２の基地局と前記第１の基地局によるサービスを受けるユーザー機器（ＵＥ）との間の干渉を最小にするように決定され、前記干渉を最小にすることは前記第１の基地局からの１つまたは複数のチャネルと前記第２の基地局からの１つまたは複数のチャネルとの間の衝突を所定の閾値より低い値に低減するＤＬチャネル・リソース構成を決定することを含む、手段と、
前記第２の基地局から、前記ＤＬチャネル・リソース構成に従って制御チャネル信号を送信するための手段と、
を備える通信デバイス。
【発明の詳細な説明】
【技術分野】
【０００１】
本出願は、概略的には、ワイヤレス通信システムを対象とするものである。より具体的には、ただし排他的ではなく、本出願は、ワイヤレス通信ネットワークにおいて干渉抑圧を行うクロスセル・シグナリング（cross-cell signaling）および／または調整を行うための方法と装置とに関する。
【０００２】
関連出願の相互参照
本出願は、その内容があらゆる目的のために全体が本明細書に参照によりここに組み込まれている、２００９年１０月１５日に出願した米国仮特許出願第６１／２５２，１２５号、名称「ＭＥＴＨＯＤ  ＡＮＤ  ＡＰＰＡＲＡＴＵＳ  ＦＯＲ  ＣＲＯＳＳ−ＣＥＬＬ  ＣＯＯＲＤＩＮＡＴＩＯＮ  ＡＮＤ  ＣＲＯＳＳ−ＣＥＬＬ  ＳＩＧＮＡＬＩＮＧ  ＡＮＤ／ＯＲ  ＤＡＴＡ  ＴＲＡＮＳＭＩＳＳＩＯＮ」の米国特許法第１１９条（ｅ）項に基づく優先権を主張するものである。
【背景技術】
【０００３】
ワイヤレス通信システムは、音声、データ、ビデオ、および同様のものなどのさまざまな種類の通信コンテンツを提供するために広く展開されており、ロングターム・エボリューション（ＬＴＥ）システムなどの新しいデータ指向システムの導入とともに展開が拡大する可能性が高い。ワイヤレス通信システムは、利用可能なシステムリソース（例えば、帯域幅および送信電力）を共有することによって複数のユーザーとの通信をサポートすることができる多元接続システムであるものとしてよい。このような多元接続システムの例としては、符号分割多元接続（ＣＤＭＡ）システム、時分割多元接続（ＴＤＭＡ）システム、周波数分割多元接続（ＦＤＭＡ）システム、３ＧＰＰロングターム・エボリューション（ＬＴＥ）システム、および他の直交周波数分割多元接続（ＯＦＤＭＡ）システムが挙げられる。 
一般に、ワイヤレス多元接続通信システムは、複数のワイヤレス端末（ユーザー機器（ＵＥ）またはアクセス端末（ＡＴ）とも知られている）の通信を同時にサポートすることができる。それぞれの端末は、フォワードリンクおよびリバースリンク上の送信を介して１つまたは複数の基地局（アクセスポイント（ＡＰ）、ｅＮｏｄｅＢまたはｅＮＢとも知られている）と通信する。フォワードリンク（ダウンリンクまたはＤＬとも称される）とは、基地局から端末への通信リンクのことであり、リバースリンク（アップリンクまたはＵＬとも称される）とは、端末から基地局への通信リンクのことである。これらの通信リンクは、シングル入力シングル出力システム、シングル入力マルチ出力システム、マルチ入力シングル出力システム、またはマルチ入力マルチ出力（ＭＩＭＯ）システムを介して確立されうる。 
基地局ノードは、ｅＮＢと称されることもあり、ネットワーク内の展開に対し異なる能力を有する可能性がある。これは、送信電力クラス、アクセス制限などを含む。一態様では、異機種ネットワーク特性により、ワイヤレス・カバレッジエリアにデッドスポット（例えば、ドーナツ・カバレッジホール（Donut coverage hole））が形成される。これは、望ましくないユーザー機器セル関連付けを必要とする重大なセル間干渉を引き起こしうる。一般に、異機種ネットワーク特性は、各ネットワーク上のノードと機器との間に無用な干渉を引き起こす可能性のある、物理チャネルの深い侵入（deep penetration）を必要とする。
【０００４】
展開される移動局の数が増えるにつれ、適切な帯域幅利用の必要性がいっそう重要になってくる。さらに、ＬＴＥなどのシステム内にフェムトセルおよびピコセルなどの小さなセルを管理するために半自律基地局を導入すると、既存の基地局との干渉が大きな問題となる可能性がある。
【発明の概要】
【０００５】
本開示は、大まかに言って、ワイヤレス通信システムに関する。例えば、一態様では、本出願は、ワイヤレス通信ネットワークにおいて干渉抑圧を円滑にするクロスセル・シグナリングおよび／または調整を行うための方法と装置とに関する。
【０００６】
別の態様では、本開示は、ワイヤレス通信システム内のノード間の調整された送信を行うための方法に関する。この方法は、例えば、第１の基地局と第２の基地局との間で、ダウンリンク（ＤＬ）チャネル・リソース構成を、制御チャネルを含むＤＬチャネルについて決定することを含むことができる。ＤＬチャネル・リソース構成は、第２の基地局と第１の基地局によるサービスを受けるユーザー機器（ＵＥ）との間の干渉を最小にするように決定されうる。この方法は、第２の基地局から、ＤＬチャネル・リソース構成に従って制御チャネル信号を送信することをさらに含むことができる。
【０００７】
この決定することは、例えば、制御チャネル・シグナリングのために第１の基地局と第２の基地局との間に異なる数のシンボルを割り当てることを含みうる。ＤＬチャネル・リソース構成は、例えば、リソース要素（ＲＥ）レベル、ＲＥＧレベル、および／または制御チャネル要素（ＣＣＥ）レベルのうちの少なくとも１つに基づき決定されたチャネル構成に関係するものとしてよい。ＤＬチャネル・リソース構成は、例えば、１つまたは複数のサブフレームに関して動的にまたは半静的に決定することができる。あるいは、またはそれに加えて、ＤＬチャネル・リソース構成を無線フレームの部分集合に関して決定することもできる。
【０００８】
ＤＬチャネルは、例えば、物理ダウンリンク共有チャネル（ＰＤＳＣＨ）をさらに備えることができる。ＤＬチャネルは、例えば、物理ダウンリンク制御チャネル（ＰＤＣＣ）、物理制御フォーマット・インジケータ・チャネル（ＰＣＦＩＣＨ）、物理ハイブリッドＡＲＱインジケータ（ＰＨＩＣＨ）チャネルのうちの１つまたは複数を備えることができる。
【０００９】
干渉を最小にするステップは、例えば、第１の基地局からの１つまたは複数のチャネルと第２の基地局からの１つまたは複数のチャネルとの間の衝突の割合を所定の閾値より低い値に設定するようにＤＬチャネル・リソース構成を決定することを含むことができる。衝突は、制御チャネルまた、ＰＣＦＩＣＨ、ＰＨＩＣＨ、および／または他のチャネルなどのチャネル内で発生する衝突に基づくものとすることができる。１つまたは複数のチャネルは、例えば、ＰＤＣＣＨ、ＰＣＦＩＣＨ、ＰＨＩＣＨ、およびＰＤＳＣＨのうちの１つまたは複数を含むことができる。
【００１０】
別の態様では、本開示は、ワイヤレス通信を円滑にするための方法に関する。この方法は、例えば、第２のネットワーク・セルに関連付けられている制御情報を第１のネットワーク・セル内の第１の基地局から送信することを含むことができる。この情報は、第２のネットワーク・セルに関連付けられている１つまたは複数のＵＥに送信されうる。
【００１１】
この方法は、例えば、第２のネットワーク・セル内の第２の基地局から制御チャネル情報を受信することをさらに含むことができる。あるいは、またはそれに加えて、制御チャネル情報は、例えばコアネットワーク・コンポーネントまたは他のネットワーク・ノードなどの別のネットワーク・ノードから受信することもできる。
【００１２】
制御チャネル情報は、例えば、物理ダウンリンク制御チャネル（ＰＤＣＣＨ）、物理ハイブリッドＡＲＱインジケータ・チャネル（ＰＨＩＣＨ）、同期チャネル、および／または他の制御もしくはデータチャネルに関係する場合がある。
【００１３】
決定することは、例えば、第１の基地局から受信された制御情報によって決定されうる、第２のネットワーク・セルに関連付けられている特性に基づきダウンリンク・チャネル・リソースの集合を識別することを含みうる。この特性は、第２のネットワーク・セルのセルＩＤ、ＰＣＦＩＣＨ構成、およびＰＨＩＣＨ構成のうちの１つまたは複数を含むことができる。制御情報は、制御シグナリング、ページング情報、およびシステム情報ブロードキャスト（ＳＩＢ）情報のうちの１つまたは複数を含みうる。
【００１４】
送信することは、例えば、ダウンリンク・チャネル上で情報を送信することを含みうる。ダウンリンク・チャネルは、第２のネットワーク・セルに関連付けられているダウンリンク・チャネル情報と一致するＰＣＦＩＣＨ、ＰＤＣＣＨ、およびＰＨＩＣＨのうちの１つまたは複数を含みうる。
【００１５】
別の態様では、本開示は、ワイヤレス通信の方法に関する。この方法は、例えば、第１のセル内のサービスを提供する基地局から信号伝送を受信することを含むことができる。この方法は、第１のネットワーク・セルに関連付けられているダウンリンク・チャネル・リソースに従って第２のセル内のサービスを提供しない基地局から送信された情報を受信することをさらに含みうる。
【００１６】
ダウンリンク・チャネル・リソースは、例えば、第１のネットワーク・セルに関連付けられている特性に基づき、決定されうる。この特性は、例えば、第１のネットワーク・セルのセルＩＤ、ＰＣＦＩＣＨ構成、およびＰＨＩＣＨ構成のうちの１つまたは複数を含むことができる。この情報は、例えば、制御シグナリング、ページング情報、およびＳＩＢ情報のうちの１つまたは複数を含みうる。
【００１７】
この情報を受信するステップは、例えば、ダウンリンク・チャネル上でその情報を受信することを含み得る。ダウンリンク・チャネルは、ＰＣＦＩＣＨ、ＰＤＣＣＨ、およびＰＨＩＣＨのうちの１つまたは複数を含むものとしてよい。この情報は、例えば、第１のネットワーク・セルに関連付けられているページング情報またはＳＩＢ情報のうちの少なくとも１つを含みうる。この情報を受信するステップは、例えば、ＰＤＳＣＨ上でその情報を受信することを含みうる。
【００１８】
この情報は、例えば、第２のネットワーク・セルに関連付けられているＳＩＢ情報をさらに含むことができる。第１のネットワーク・セルに関連付けられているＳＩＢ情報は、第２のネットワーク・セルに関連付けられているＳＩＢ情報に連結することができる。
【００１９】
別の態様では、本開示は、上述の方法を実行することをコンピュータに行わせるためのコンピュータコードを含むコンピュータ可読媒体に関する。
【００２０】
別の態様では、本開示は、上述の方法を実行するように構成された通信デバイスに関する。
【００２１】
別の態様では、本開示は、上述の方法を実行するための手段を備える通信デバイスに関する。
【００２２】
追加の態様、特徴、および機能は、添付済みとともに以下でさらに説明される。
【００２３】
本発明は、添付図面と併せて行った以下の詳細な説明に関連してさらにさらに完全に理解することができる。
【図面の簡単な説明】
【００２４】
【図１】ワイヤレス通信システムの詳細図。
【図２】複数のセルを有するワイヤレス通信システムの詳細図。
【図３】異なる種類のノードを有するマルチセルワイヤレス通信システムの詳細図。
【図４Ａ】ワイヤレス通信システム内の基地局と基地局との通信接続を示す詳細図。
【図４Ｂ】ワイヤレス通信システム内の基地局と基地局との通信接続を示す詳細図。
【図５】ワイヤレス通信システム内のセル間調整を円滑にするように構成されたコンポーネントの一実施形態の詳細図。
【図６】ワイヤレス通信システムにおいてプロキシシグナリングを送るように構成されたコンポーネントの一実施形態の詳細図。
【図７】ワイヤレス通信システム内のセル間でプロキシシグナリングを送るためのプロセスの例示的な一実施形態の図。
【図８】ワイヤレス通信システム内のセル間で干渉を抑圧するセル間干渉調整のプロセスの例示的な一実施形態の図。
【図９】ワイヤレス通信システムにおけるダウンリンク送信のための例示的なリソース構成を示す図。
【図１０】複数のセルにまたがってシステム情報ブロック（ＳＩＢ）ロケーション・シグナリング（location signaling）を行うためのプロセスの例示的な一実施形態の図。
【図１１】複数のセルにまたがってＳＩＢロケーション・シグナリングを送るためのプロセスの例示的な一実施形態の図。
【図１２】ワイヤレス通信システムにおいて干渉抑圧を円滑にする調整ＤＬ送信を行うためのプロセスの例示的な一実施形態の図。
【図１３】一方のセル内の基地局から別のセル内の端末へプロキシシグナリングを送るためのプロセスの例示的な一実施形態の図。
【図１４】ワイヤレス通信ネットワーク内のＵＥでクロス調整ＤＬシグナリング（cross-coordinated DL signaling）を受信するためのプロセスの例示的な一実施形態の図。
【図１５】端末またはＵＥと基地局またはｅＮＢとを備える通信システムの一実施形態の詳細図。
【発明を実施するための形態】
【００２５】
本開示は、大まかに言って、ワイヤレス通信システムにおける干渉調整、管理、および抑圧に関する。さまざまな実施形態において、本明細書で説明されている技術および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ＬＴＥネットワーク、さらには他の通信ネットワークなどのワイヤレス通信ネットワークに使用することができる。本明細書で説明されているような「ネットワーク」および「システム」という用語は互いに取り替えて使用されうる。
【００２６】
ＣＤＭＡネットワークは、ユニバーサル地上無線アクセス（ＵＴＲＡ）、ｃｄｍａ２０００、および同様の技術などの無線技術を実装することができる。ＵＴＲＡは、広帯域ＣＤＭＡ（Ｗ−ＣＤＭＡ）とＬｏｗ  Ｃｈｉｐ  Ｒａｔｅ（ＬＣＲ）を含む。ｃｄｍａ２０００は、ＩＳ−２０００標準規格と、ＩＳ−９５標準規格と、ＩＳ−８５６標準規格とを包含する。ＴＤＭＡネットワークでは、グローバルモバイル通信システム（ＧＳＭ）（登録商標）などの無線技術を実装することができる。
【００２７】
ＯＦＤＭＡネットワークは、Ｅｖｏｌｖｅｄ  ＵＴＲＡ（Ｅ−ＵＴＲＡ）、ＩＥＥＥ  ８０２．１１、ＩＥＥＥ  ８０２．１６、ＩＥＥＥ  ８０２．２０、Ｆｌａｓｈ−ＯＦＤＭ、および同様の技術などの無線技術を実装するものとしてよい。ＵＴＲＡ、Ｅ−ＵＴＲＡ、およびＧＳＭは、ユニバーサル・モバイル通信システム（ＵＭＴＳ）の一部である。特にロングターム・エボリューション（ＬＴＥ）は、Ｅ−ＵＴＲＡを使用するＵＭＴＳの一リリースである。ＵＴＲＡ、Ｅ−ＵＴＲＡ、ＧＳＭ、ＵＭＴＳ、およびＬＴＥは、「第３世代パートナーシップ・プロジェクト」（３ＧＰＰ）という名前の組織から提供されている文書に記載されているが、ｃｄｍａ２０００は、「第３世代パートナーシップ・プロジェクト２」（３ＧＰＰ２）という名前の組織から出されている文書において説明されている。これらのさまざまな無線技術および標準規格は、当技術分野で知られているか、または開発中である。例えば、第３世代パートナーシップ・プロジェクト（３ＧＰＰ）は、世界的規模で適用可能な第３世代（３Ｇ）携帯電話仕様を定義する電気通信協会のグループ間の協同作業の成果である。３ＧＰＰロングターム・エボリューション（ＬＴＥ）は、ユニバーサル・モバイル通信システム（ＵＭＴＳ）携帯電話標準を改良することを目指す３ＧＰＰプロジェクトである。３ＧＰＰは、次世代のモバイルネットワークと、モバイルシステムと、モバイルデバイスとに対する仕様を定義する。わかりやすくするために、装置および技術のいくつかの態様は、以下ではＬＴＥ実装について説明されており、ＬＴＥ技術は、以下の説明の大半で使用されているが、この説明は、ＬＴＥアプリケーションに制限されることを意図していない。したがって、当業者であれば、本明細書で説明されている装置および方法が、さまざまな他の通信システムとアプリケーションとに応用可能であることを理解するであろう。
【００２８】
ワイヤレス通信システムにおける論理チャネルは、制御チャネルとトラヒック・チャネルとに分類することができる。論理制御チャネルは、システム制御情報をブロードキャストするためのダウンリンク（ＤＬ）チャネルであるブロードキャスト制御チャネル（ＢＣＣＨ）と、ページング情報を転送するＤＬチャネルであるページング制御チャネル（ＰＣＣＨ）と、１つまたは複数のＭＴＣＨに対するマルチメディア・ブロードキャストおよびマルチキャストサービス（ＭＢＭＳ）のスケジューリングと制御情報とを送信するために使用されるポイントツーマルチポイントＤＬチャネルであるマルチキャスト制御チャネル（ＭＣＣＨ）とを含みうる。一般に、無線リソース制御（ＲＲＣ）接続を確立した後、このチャネルは、ＭＢＭＳを受信するＵＥによってのみ使用される。専用制御チャネル（ＤＣＣＨ）は、専用制御情報を送信し、ＲＲＣ接続を有するＵＥによって使用されるポイントツーポイント双方向チャネルである。
【００２９】
論理トラヒック・チャネルは、ユーザー情報の転送用に１つのＵＥにのみ割り当てられたポイントツーポイント双方向チャネルである専用トラヒック・チャネル（ＤＴＣＨ）と、トラヒックデータを送信するためのポイントツーマルチポイントＤＬチャネルに対するマルチキャスト・トラヒック・チャネル（ＭＴＣＨ）と、を含みうる。
【００３０】
トランスポート・チャネルは、ダウンリンク（ＤＬ）トランスポート・チャネルとアップリンク（ＵＬ）トランスポート・チャネルとに分類することができる。ＤＬトランスポート・チャネルは、ブロードキャスト・チャネル（ＢＣＨ）と、ダウンリンク共有データチャネル（ＤＬ−ＳＤＣＨ）と、ページング・チャネル（ＰＣＨ）とを含みうる。ＰＣＨは、セル全体にわたってブロードキャストされ、他の制御／トラヒック・チャネルに使用されうる物理レイヤ（ＰＨＹ）リソースにマッピングされる、ＵＥの節電機能（例えば、ＤＲＸサイクルがネットワークによってＵＥに指示され場合）をサポートするため使用されうる。ＵＬトランスポート・チャネルは、ランダム・アクセス・チャネル（ＲＡＣＨ）と、要求チャネル（ＲＥＱＣＨ）と、アップリンク共有データチャネル（ＵＬ−ＳＤＣＨ）と、複数のＰＣＨチャネルとを含むことができる。ＰＨＹチャネルは、一組のＤＬチャネルとＵＬチャネルとを含みうる。
【００３１】
さらに、ＤＬ  ＰＨＹチャネルは、 
共通パイロットチャネル（ＣＰＩＣＨ）
同期チャネル（ＳＣＨ）
共通制御チャネル（ＣＣＣＨ）
共有ＤＬ制御チャネル（ＳＤＣＣＨ）
マルチキャスト制御チャネル（ＭＣＣＨ）
共有ＵＬ割り当てチャネル（ＳＵＡＣＨ）
確認通知チャネル（ＡＣＫＣＨ）
ＤＬ物理共有データチャネル（ＤＬ−ＰＳＤＣＨ）
ＵＬ電力制御チャネル（ＵＰＣＣＨ）
ページングインジケータ・チャネル（ＰＩＣＨ）
負荷インジケータ・チャネル（ＬＩＣＨ）
を含むものとしてよい。
【００３２】
ＵＬ  ＰＨＹチャネルは、 
物理ランダム・アクセス・チャネル（ＰＲＡＣＨ）
チャネル品質インジケータ・チャネル（ＣＱＩＣＨ）
確認通知チャネル（ＡＣＫＣＨ）
アンテナサブセット・インジケータ・チャネル（ＡＳＩＣＨ）
共有要求チャネル（ＳＲＥＱＣＨ）
ＵＬ物理共有データチャネル（ＵＬ−ＰＳＤＣＨ）
ブロードバンド・パイロット・チャネル（ＢＰＩＣＨ）
を含むものとしてよい。
【００３３】
「例示的な」という単語は、本明細書では、「一例、事例、または例示として使用する」ことを意味するために使用される。「例示的」として本明細書に記載された任意の態様および／または実施形態は必ずしも、他の態様および／または実施形態より好ましいか、またはこれを凌ぐものであるとして解釈されるべきではない。
【００３４】
さまざまな態様および／または実施形態を説明することを目的として、本明細書では以下の用語と略語とを使用することがある。
【００３５】
ＡＭ            確認応答モード
ＡＭＤ          確認応答モードデータ
ＡＲＱ          自動再送要求
ＢＣＣＨ        ブロードキャスト制御チャネル
ＢＣＨ          ブロードキャスト・チャネル
Ｃ−            制御．．．
ＣＣＣＨ        共通制御チャネル
ＣＣＨ          制御チャネル
ＣＣＴｒＣＨ    符号化コンポジット・トランスポート・チャネル
ＣＰ            巡回プレフィックス
ＣＲＣ          巡回冗長検査
ＣＴＣＨ        共通トラヒック・チャネル
ＤＣＣＨ        個別制御チャネル
ＤＣＨ          個別チャネル
ＤＬ            ダウンリンク
ＤＳＣＨ        ダウンリンク共有チャネル
ＤＴＣＨ        個別トラヒック・チャネル
ＦＡＣＨ        順方向リンク・アクセス・チャネル
ＦＤＤ          周波数分割複信
Ｌ１            レイヤ１（物理レイヤ）
Ｌ２            レイヤ２（データリンク・レイヤ）
Ｌ３            レイヤ３（ネットワーク・レイヤ）
ＬＩ            長さインジケータ
ＬＳＢ          最下位ビット
ＭＡＣ          媒体アクセス制御
ＭＢＭＳ        マルチメディア・ブロードキャスト・マルチキャスト・サービス
ＭＣＣＨ        ＭＢＭＳポイントツーマルチポイント制御チャネル
ＭＲＷ          移動受信ウィンドウ
ＭＳＢ          最上位ビット
ＭＳＣＨ        ＭＢＭＳポイントツーマルチポイント・スケジューリング・チャネル
ＭＴＣＨ        ＭＢＭＳポイントツーマルチポイント・トラヒック・チャネル
ＰＣＣＨ        ページング制御チャネル
ＰＣＨ          ページング・チャネル
ＰＤＵ          プロトコル・データユニット
ＰＨＹ          物理レイヤ
ＰｈｙＣＨ      物理チャネル
ＲＡＣＨ        ランダム・アクセス・チャネル
ＲＬＣ          無線リンク制御
ＲＲＣ          無線リソース制御
ＳＡＰ          サービス・アクセスポイント
ＳＤＵ          サービス・データユニット
ＳＨＣＣＨ      共有チャネル制御チャネル
ＳＮ            シーケンス番号
ＳＵＦＩ        スーパーフィールド
ＴＣＨ          トラヒック・チャネル
ＴＤＤ          時分割複信
ＴＦＩ          トランスポート・フォーマット・インジケータ
ＴＭ            透過モード
ＴＭＤ          透過モードデータ
ＴＴＩ          送信時間間隔
Ｕ−            ユーザー．．．
ＵＥ            ユーザー機器
ＵＬ            アップリンク
ＵＭ            非確認応答モード
ＵＭＤ          非確認応答モードデータ
ＵＭＴＳ        ユニバーサル・モバイル通信システム
ＵＴＲＡ        ＵＭＴＳ地上波無線アクセス
ＵＴＲＡＮ      ＵＭＴＳ地上波無線アクセスネットワーク
ＭＢＳＦＮ      マルチキャスト・ブロードキャスト単一周波数ネットワーク
ＭＣＥ          ＭＢＭＳ調整エンティティ
ＭＣＨ          マルチキャスト・チャネル
ＤＬ−ＳＣＨ    ダウンリンク共有チャネル
ＭＳＣＨ        ＭＢＭＳ制御チャネル
ＰＤＣＣＨ      物理ダウンリンク制御チャネル
ＰＤＳＣＨ      物理ダウンリンク共有チャネル
ＬＴＥシステムは、時分割複信（ＴＤＤ）実装と周波数分割複信（ＦＤＤ）実装とをサポートすることができる。ＴＤＤシステムでは、フォワードリンク送信およびリバースリンク送信は、同一の周波数領域を利用しており、このため、相反原理により、リバースリンク・チャネルからのフォワードリンク・チャネルの推定が可能になる。これにより、複数のアンテナがアクセスポイントで利用可能である場合に、アクセスポイントはフォワードリンクで送信ビームフォーミング利得を抽出することが可能になる。
【００３６】
システム設計では、ビームフォーミングと他の機能とを円滑にするためダウンリンクおよびアップリンクに対するさまざまな時間−周波数基準信号をサポートすることができる。基準信号は、知られているデータに基づき生成される信号であり、パイロット、プリアンブル、トレーニング信号、サウンディング信号、および同様の名称で称することができる。基準信号は、チャネル推定、コヒーレント復調、チャネル品質測定、信号強度測定、および同様のものなどのさまざまな目的のために受信機によって使用されうる。複数のアンテナを使用するＭＩＭＯシステムでは、一般に、アンテナ間で基準信号の送信の調整を行うが、ＬＴＥシステムでは、一般に、複数の基地局またはｅＮＢからの基準信号の送信の調整を行わない。
【００３７】
３ＧＰＰ  Ｓｐｅｃｉｆｉｃａｔｉｏｎ  ３６２１１−９００では、セクション５．５において、ＰＵＳＣＨまたはＰＵＣＣＨの送信に関連付けられている復調、さらにはＰＵＳＣＨまたはＰＵＣＣＨの送信に関連付けられていないサウンディングのための特定の基準信号を定義している。例えば、表１は、ダウンリンクおよびアップリンク上で送信されうるＬＴＥ実装に対するいくつかの基準信号の一覧にしたもので、それぞれの基準信号について簡単な説明を付けてある。セル特有の基準信号は、共通パイロット、広帯域パイロット、および同様の名称として称することもできる。ＵＥ特有の基準信号は、個別基準信号と称することもできる。
【表１】
0005639179.tif 000002
【００３８】
いくつかの実装では、システムは時分割複信（ＴＤＤ）を利用することができる。ＴＤＤでは、ダウンリンクおよびアップリンクは、同じ周波数スペクトルまたはチャネルを共有し、ダウンリンクおよびアップリンク送信は、同じ周波数スペクトル上で送られる。したがって、ダウンリンク・チャネル応答は、アップリンク・チャネル応答と相関していると場合がある。相反定理により、アップリンクを介して送られた送信に基づきダウンリンク・チャネルを推定することができる。これらのアップリンク送信は、基準信号またはアップリンク制御チャネルであってよい（復調後に基準シンボルとして使用されうる）。アップリンク送信では、複数のアンテナを介して空間選択性チャネルの推定を行うことができる。
【００３９】
ＬＴＥ実装では、直交周波数分割多重化は、ダウンリンク−つまり、基地局、アクセスポイント、またはｅＮｏｄｅＢ（ｅＮＢ）から端末もしくはＵＥへ−に使用される。ＯＦＤＭの使用は、スペクトル柔軟性に対するＬＴＥ要件を満たし、高いピーク速度を持つ非常に広いキャリアに対してコスト効率の高いソリューションの実現を可能にし、十分に確立されている技術であり、ＯＦＤＭはＩＥＥＥ  ８０２．１１ａ／ｇ、８０２．１６、ＨＩＰＥＲＬＡＮ−２、ＤＶＢ、およびＤＡＢなどの標準において使用される。
【００４０】
時間周波数物理リソース・ブロック（簡単のため本明細書ではリソース・ブロックまたは「ＲＢ」とも表される）は、ＯＦＤＭシステムでは、トランスボート・データに割り当てられているトランスポート・キャリア（例えば、サブキャリア）または間隔のグループとして定義されうる。ＲＢは、時間と周波数の周期にわたって定義される。リソース・ブロックは、スロット内の時間と周波数の指数によって定義されうる、時間周波数リソース要素（簡単のため本明細書ではリソース要素または「ＲＥ」とも表される）からなる。ＬＴＥのＲＢおよびＲＥの追加の詳細については、３ＧＰＰ  ＴＳ  ３６．２１１において説明されている。
【００４１】
ＵＭＴＳ  ＬＴＥは、２０ＭＨｚから下って１．４ＭＨＺまでの範囲のスケーラブルなキャリア帯域幅をサポートしている。ＬＴＥでは、ＲＢは、サブキャリア帯域幅が１５ｋＨｚのときに１２個のサブキャリアとして定義されるか、またはサブキャリア帯域幅が７．５ｋＨｚのときに２４個のサブキャリアとして定義される。例示的な一実装では、時間領域内には、それぞれが１ミリ秒（ｍｓ）である１０個のサブフレームからなる、長さ１０ｍｓの定義済み無線フレームがある。すべてのサブフレームは、それぞれのスロットが０．５ｍｓである２つのスロットからなる。この場合に周波数領域内のサブキャリア間隔は、１５ｋＨｚである。これらのサブキャリアのうち１２個を一緒にしたもの（スロット毎に）が１つのＲＢを構成し、したがって、この実装では、１つのリソース・ブロックは１８０ｋＨｚである。６つのリソース・ブロックは、１．４ＭＨｚのキャリア内に収まり、１００個のリソース・ブロックは、２０ＭＨｚのキャリア内に収まる。
【００４２】
ダウンリンクでは、上述のように典型的には多数の物理チャネルがある。特に、物理ダウンリンク制御チャネル（ＰＤＣＣＨ）は制御信号を送るために使用され、物理ハイブリッドＡＲＱインジケータ・チャネル（ＰＨＩＣＨ）はＡＣＫ／ＮＡＣＫを送るために使用され、物理制御フォーマット・インジケータ・チャネル（ＰＣＦＩＣＨ）は制御シンボルの数を指定するために使用され、物理ダウンリンク共有チャネル（ＰＤＳＣＨ）はデータ送信に使用され、物理マルチキャスト・チャネル（ＰＭＣＨ）は単一周波数ネットワーク（ＳＦＮ）を使用するブロードキャスト送信に使用され、物理ブロードキャスト・チャネル（ＰＢＣＨ）は１つのセル内の重要なシステム情報を送るために使用される。ＬＴＥのＰＤＳＣＨ上でサポートされている変調形式は、ＱＰＳＫ、１６ＱＡＭ、および６４ＱＡＭである。３ＧＰＰ仕様ではさまざまなチャネルに対してさまざまな変調符号化方式が定義されている。
【００４３】
アップリンクでは、典型的には３つの物理チャネルがある。物理ランダム・アクセス・チャネル（ＰＲＡＣＨ）が初期アクセスにのみ使用されている間、ＵＥがアップリンク同期されていないときに、データは、物理アップリンク共有チャネル（ＰＵＳＣＨ）上で送られる。ＵＥに対するアップリンク上で送信すべきデータがない場合、物理アップリンク制御チャネル（ＰＵＣＣＨ）上で制御情報が送信される。アップリンク・データ・チャネル上でサポートされている変調形式は、ＱＰＳＫ、１６ＱＡＭ、および６４ＱＡＭである。
【００４４】
仮想ＭＩＭＯ／空間分割多元接続（ＳＤＭＡ）を導入した場合、アップリンク方向のデータ転送速度を基地局のアンテナの本数に応じて増加させることができる。この技術では、複数のモバイルが同じリソースを再利用することができる。ＭＩＭＯオペレーションについては、１人のユーザーのデータ・スループットを高めるためのシングルユーザーＭＩＭＯとセルスループットを高めるためのマルチユーザーＭＩＭＯとが区別される。
【００４５】
３ＧＰＰ  ＬＴＥでは、移動局またはモバイルデバイスは、「端末」、「ユーザーデバイス」、または「ユーザー機器」（ＵＥ）と称されうる。基地局は、Ｅｖｏｌｖｅｄ  ＮｏｄｅＢまたはｅＮＢと称されることもある。半自律基地局は、ホームｅＮＢまたはＨｅＮＢと称されることもある。そのため、ＨｅＮＢは、ｅＮＢの１つの例であるものとしてよい。ＨｅＮＢおよび／またはＨｅＮＢのサービスエリアは、フェムトセル、ＨｅＮＢセル、または限定加入者グループ（ＣＳＧ）セル（アクセスが制限されている）と称することができる。
【００４６】
以下では、本開示のさまざまな他の態様および特徴について、さらに詳しく説明する。本明細書の教示は、さまざまな形態で具現化され、本明細書で開示されている特定の構造、機能、またはその両方は、単に代表するものにすぎないことは明らかであろう。本明細書の教示に基づき、当業者は、本明細書に開示されている一態様が、他の態様と独立して実装され、またこれらの態様のうち２つまたはそれ以上をさまざまな方法で組み合わせられることを理解するであろう。例えば、本明細書に記載するあらゆる数の態様を使用して、装置を実施する、または方法を実施することができる。それに加えて、他の構造、機能、または本明細書で述べられている態様のうちの１つまたは複数のものに加えた、またはそれら以外の構造と機能を使用して、そのような装置を実装したり、またはそのような方法を実施したりすることができる。さらに、一態様は、請求項の少なくとも１つの要素を備えることができる。
【００４７】
図１は、この後さらに説明されるような態様を実装することができるＬＴＥシステムであってよい、多元接続ワイヤレス通信システムの一実装の詳細を例示している。Ｅｖｏｌｖｅｄ  ＮｏｄｅＢ（ｅＮＢ）１００（アクセスポイントまたはＡＰとも知られている）は、複数のアンテナグループを備えることができ、１つは１０４と１０６とを含み、別の１つは１０８と１１０とを含み、追加のものは１１２と１１４とを含む。図１において、２つのアンテナのみがアンテナグループ毎に例示されているが、より多数の、またはより少数のアンテナを、アンテナグループ毎に利用することもできる。ユーザー機器（ＵＥ）１１６（アクセス端末またはＡＴとも知られている）は、アンテナ１１２および１１４と通信状態にあり、その場合、アンテナ１１２および１１４は、フォワードリンク（ダウンリンクとも知られている）１２０の上でＵＥ１１６に情報を送信し、リバースリンク（アップリンクとも知られている）１１８の上でＵＥ１１６から情報を受信する。第２のＵＥ１２２は、アンテナ１０６および１０８と通信状態にあり、その場合、アンテナ１０６および１０８は、フォワードリンク１２６の上でＵＥ１２２に情報を送信し、リバースリンク１２４の上でアクセス端末１２２から情報を受信する。
【００４８】
周波数分割複信（ＦＤＤ）システムでは、通信リンク１１８、１２０、１２４、および１２６は、通信に異なる周波数を使用することができる。例えば、フォワードリンク１２０は、リバースリンク１１８によって使用される周波数と異なる周波数を使用することができる。時分割複信（ＴＤＤ）システムでは、ダウンリンクおよびアップリンクは共有されうる。
【００４９】
アンテナのそれぞれのグループおよび／またはそれらが通信するように設計されているエリアは、ｅＮＢのセクタと称されることが多い。アンテナグループは、それぞれ、ｅＮＢ１００によってカバーされるエリアの１つのセクタ内にあるＵＥと通信するように設計される。フォワードリンク１２０および１２６の上の通信では、ｅＮＢ４００の送信アンテナは、異なるアクセス端末１１６および１２４に対するフォワードリンクの信号対雑音比を改善するためにビームフォーミングを利用する。また、ｅＮＢがビームフォーミングを使用してそのサービスエリア内を通してランダムに散らばるＵＥに送信する場合は、ｅＮＢがそのすべてのＵＥに単一アンテナを通じて送信する場合と比べて、近接セル内のＵＥへの干渉が減少する。ｅＮＢは、ＵＥと通信するために使用される固定局とすることができ、アクセスポイント、ノードＢ、または他の何らかの同等の名称で称することもできる。ＵＥは、アクセス端末、ＡＴ、ユーザー機器、ワイヤレス通信デバイス、端末、または他の何らかの同等の名称で称することもできる。
【００５０】
図２は、本明細書においてこの後説明されるような態様を実装することができるＬＴＥシステムなどの多元接続ワイヤレス通信システム２００の一実装の詳細を例示している。多元接続ワイヤレス通信システム２００は、セル２０２と、２０４と、２０６とを含む、複数のセルを備える。一態様では、システム２００、セル２０２、２０４、および２０６は、複数のセクタを含むｅＮＢを備えることができる。複数のセクタは、アンテナのグループによって形成することができ、それぞれのアンテナはセルの一部の中のＵＥとの通信に関与する。例えば、セル２０２において、アンテナグループ２１２、２１４、および２１６は、それぞれ、異なるセクタに対応することができる。セル２０４では、アンテナグループ２１８、２２０、および２２２は、それぞれ、異なるセクタに対応する。セル２０６では、アンテナグループ２２４、２２６、および２２８は、それぞれ、異なるセクタに対応する。セル２０２、２０４、および２０６は、それぞれのセル２０２、２０４、または２０６のセクタに通信している可能性のある１つまたは複数いくつかのワイヤレス通信デバイス、例えば、ユーザー機器もしくはＵＥを備えることができる。例えば、ＵＥ２３０および２３２は、ｅＮＢ２４２と通信状態にあるものとしてよく、ＵＥ２３４および２３６は、ｅＮＢ２４４と通信状態にあるものとしてよく、ＵＥ２３８および２４０は、ｅＮＢ２４６と通信状態にあるものとしてよい。セルおよび関連付けられている基地局は、セル間調整および他の態様に関係する本明細書でさらに説明されているような機能を実行するために使用できるような、コアまたはバックホール・ネットワークの一部であるか、またはコアまたはバックホールに接続性を提供することができる、システム・コントローラ２５０に結合されうる。
【００５１】
図３は、ＬＴＥシステムなどの、多元接続ワイヤレス通信システム３００の一実装の詳細を例示している。システム３００のさまざまな要素が、図１および２に示されているようなコンポーネントと構成とを使用して実装されうる。システム３００は、異機種ネットワーク（「ｈｅｔｎｅｔ」とも知られている）として構成され、異なる特性を有するさまざまな基地局またはｅＮＢを展開することができる。例えば、マクロセルｅＮＢ、ピコセルｅＮＢ、およびフェムトセルｅＮＢなどの異なる種類のｅＮＢは、特定のエリアまたは領域内で近接して展開することができ、それぞれ異なるセルに関連付けることができる。それに加えて、さまざまな実装において異なる電力クラスのｅＮＢを展開することもできる。図３に示されているｅＮＢは、その関連付けられているセルとともに、本明細書の後の方で説明されているようにシグナリングおよび／またはセル間調整を行うように構成されうる。
【００５２】
図示されている例では、ワーク３００は、６個のｅＮＢ３１０と、３２０と、３３０と、３４０と、３５０と、３６０とを備える。これらのｅＮＢは、さまざまな実装において、異なる種類および／または電力クラスのものであってもよい。例えば、システム３００では、ｅＮＢ３１０は、マクロセルに関連付けられている高出力ｅＮＢとすることができ、ｅＮＢ３２０は、異なる電力クラスで動作しうる別のマクロセルｅＮＢとすることができ、ｅＮＢ３３０は、同じ、または異なる電力クラスで動作する別のｅＮＢとすることができ、ｅＮＢ３４０および３５０は、ピコセルｅＮＢとすることができる。フェムトセル・ノードなど（図示せず）の他の種類および／またはクラスの他のｅＮＢも含めることができる。これらのさまざまなノードおよび関連付けられているセルのサービスエリアは、オーバーラップし、干渉を生じる可能性がある。例えば、ｅＮＢ３３０は、サービスを提供されるＵＥ３３１および３３２と通信状態にあるものとしてよく、ｅＮＢ３５０によるサービスを受けうる、ＵＥ３５１に対する干渉をさらに引き起こす可能性がある。
【００５３】
したがって、ｅＮＢ３３０とｅＮＢ３５０との間のセル間干渉調整は、この干渉を抑圧するのに役立ちうる。同様に、ｅＮＢ３４０によるサービスを受けうる、ＵＥ３４１および３４２は、ＵＥ３２１にサービスを提供しているものとしてよい、マクロセルｅＮＢ３２０からの干渉の影響を受けやすい可能性がある。これら２つの例では、マクロセル・ノードは、ピコセル・ノードとの干渉を生じることがあるが、しかし、他の場合には、ピコセル・ノードは、マクロセル・ノード（および／またはフェムトセル・ノード）との干渉を生じる可能性があり、それに加えて、マクロセル・ノードは互いに干渉を生じる可能性がある。例えば、ＵＥ３６１にサービスを提供している、マクロセルｅＮＢ３５０は、ｅＮＢ３１０によるサービスを受けている、ＵＥ３１２に対する干渉を生じる可能性がある。ｅＮＢ３１０は、ＵＥ３１１にもサービスを提供している可能性のある、高出力ｅＮＢとしてよい。
【００５４】
例えば、図３に示されているような基地局もしくはｅＮＢの間のクロスセル調整および／または関連するシグナリングは、バックホール・ネットワークおよび／またはｅＮＢ間シグナリングと連携して行うことができる。例えば、図４Ａは、態様が実装可能である、ｅＮＢと他のｅＮＢとの相互接続の例示的な実施形態４００Ｂの詳細を示している。ネットワーク４００Ａは、マクロｅＮＢ４０２および／またはピコセルｅＮＢ４１０などの複数の追加のｅＮＢを備えることができる。ネットワーク４００は、スケーラビリティ上の理由からＨｅＮＢゲートウェイ４３４を備えることができる。マクロｅＮＢ４０２およびゲートウェイ４３４は、それぞれ、モビリティ管理エンティティ（ＭＭＥ）４４２のプール４４０および／またはサービス・ゲートウェイ（ＳＧＷ）４４６のプール４４４と通信することができる。ｅＮＢゲートウェイ４３４は、個別Ｓ１接続４３６に対してＣプレーンおよびＵプレーンのように見えるものとしてよい。Ｓ１接続４３６は、発展型パケットコア（ＥＰＣ）と発展型ユニバーサル地上無線アクセス（ＥＵＴＲＡＮ）との間の境界として指定された論理インターフェースとすることができる。そのようなものとして、他のネットワークにさらに結合されうる、コアネットワーク（図示せず）とのインターフェースを構成する。ｅＮＢゲートウェイ４３４は、ＥＰＣの観点からマクロｅＮＢ４０２として動作しうる。ＣプレーンインターフェースはＳ１−ＭＭＥであり、ＵプレーンインターフェースはＳ１−Ｕであるものとしてよい。サブフレームの割り当ては、ｅＮＢ間の直接的ネゴシエーションによって行うことができ、および／またはバックホール・ネットワークと連携して行うことができる。ネットワーク４００は、マクロｅＮＢ４０２およびピコセルｅＮＢ４１０であってもよい、複数の追加のｅＮＢを備えることができる。
【００５５】
ｅＮＢゲートウェイ４３４は、ｅＮＢ４１０に関して、単一のＥＰＣノードとして機能しうる。ｅＮＢゲートウェイ４３４は、ｅＮＢ４１０に対してＳ１−Ｆｌｅｘ接続性を保証することができる。ｅＮＢゲートウェイ４３４は、単一のｅＮＢ４１０がｎ個のＭＭＥ４４２と通信できるように１：ｎの中継機能を備えることができる。ｅＮＢゲートウェイ４３４は、Ｓ１セットアップ手順を介して動作させるときにＭＭＥ４４２のプール４４０に登録する。ｅＮＢゲートウェイ４３４は、ｅＮＢ４１０とのＳ１インターフェース４３６のセットアップをサポートすることができる。
【００５６】
ネットワーク４００Ａは、自己組織化ネットワーク（ＳＯＮ）サーバー４３８を備えることもできる。ＳＯＮサーバー４３８は、３ＧＰＰ  ＬＴＥネットワークの自動最適化機能を備えることができる。ＳＯＮサーバー４３８は、ワイヤレス通信システム４００における運用管理保守（ＯＡＭ）機能の改善を推進させるために重要な要素となる場合がある。Ｘ２リンク４２０は、マクロｅＮＢ４０２とｅＮＢゲートウェイ４３４との間に存在しうる。Ｘ２リンク４２０は、共通ｅＮＢゲートウェイ４３４に接続されているｅＮＢ４１０のそれぞれの間にも存在しうる。Ｘ２リンク４２０は、ＳＯＮサーバー４３８からの入力に基づきセットアップすることができる。Ｘ２リンク４２０は、ＩＣＩＣ情報を伝達することができる。Ｘ２リンク４２０を確立できない場合、Ｓ１リンク４３６を使用して、ＩＣＩＣ情報を伝達することができる。マクロｅＮＢ４０２とｅＮＢ４１０との間で本明細書でさらに説明されているようにさまざまな機能を管理するためにバックホールシグナリングを使用することができる。例えば、これらの接続は、サブフレーム割り当て調整とスケジューリングとを円滑にするために本明細書で引き続きさらに説明されているように使用することができる。
【００５７】
図４Ｂは、さまざまな態様によりセル間調整を実装するために使用されうるような、ｅＮＢと他のｅＮＢとの相互接続の別の例示的なネットワーク実施形態４００Ｂを示している。ネットワーク４００Ｂにおいて、ＳＯＮサーバーは含まれず、ｅＮＢ４０２などのマクロｅＮＢは、ピコｅＮＢ４１０などの他のｅＮＢと（および／または図示されていない他の基地局と）通信することができる。
【００５８】
一般に、図３に示されているようなネットワーク内のＵＥは、最強の信号を供給するセル上で接続または「キャンプ」を試みる。しかし、本明細書で図３にすでに示されているような異機種ネットワーク・アーキテクチャでは、ＵＥは、例えば、限定加入者グループ（ＣＳＧ）の一部である場合、または範囲拡大が使用される場合などにおいて、より強いセルが利用不可能であればより弱いセルに接続することが必要になることがある。例えば、近接するか、または隣接するＣＳＧ基地局は、ＵＥのごく近くに配置することができるが、ＵＥが加入者グループのメンバーでない場合にはアクセス不可能であることがある。範囲拡大実装では、ＵＥを弱いセルに関連付けると、弱いセルの送信電力がより強いセルの送信電力より低くても経路損失が小さい場合に有益なことがある。いくつかの場合において、時分割多重（ＴＤＭ）および／または周波数分割多重（ＦＤＭ）は、ＵＥが強いセル干渉を被ることなく弱いセルからデータを送信しおよび／または受信することが可能なように使用することが可能である。しかし、このアプローチをとる場合であっても、システム情報ブロードキャスト（ＳＩＢ）、ページング情報、および／または他のデータおよび情報などのいくつかの重要なシステム情報を特定の本いくつかのサブフレームで送る必要があるが、これは、ＴＤＭパーティショニング（TDM partitioning）によりＳＩＢページングをサポートできないことを意味している。それに加えて、ＳＩＢおよび／またはページング情報を読み取るために、ＵＥは、最初に物理ダウンリンク制御チャネル（ＰＤＣＣＨ）内の制御情報を読み取る必要がある。ＰＤＣＣＨの交互的な性質により、ｅＮＢ間の調整は干渉調整と干渉抑圧とに役立ちうる。
【００５９】
図５は、さまざまな態様によるセル間調整が実装されうる通信システム５００の簡略化された例の詳細を示している。システム５００は、この例で第１の基地局または第１のｅＮＢとしても示されている、基地局またはｅＮＢ５１０を備える。ｅＮＢ５１０は、本明細書の後の方で説明されている調整機能を実行するためのハードウェア、ファームウェア、および／またはソフトウェアを備えることができる、調整モジュール５１５を具備する。この例において第２の基地局または第２のｅＮＢとしても表されている、別のｅＮＢ５２０は、さまざまな機能がある中でも、セル間干渉調整を円滑に行えるようにするためにｅＮＢ５１０と通信状態にあってよい。ｅＮＢ５２０は、本明細書の後の方で説明されている調整機能を実行するための調整モジュール５２５も備えることができる。ｅＮＢ５１０とｅＮＢ５２０との間の通信を行えるようにするために、さまざまな接続とインターフェースとを使用することができる。いくつかの場合において、例えば、Ｓ１インターフェース５６２および５６４などを介して、コアもしくはバックホール・ネットワーク５０８を通じて通信を円滑にすることができる。いくつかの場合において、干渉調整の全部または一部は、コアまたはバックホール・ネットワーク５０８のコンポーネントによって、それらのコンポーネントと連携して実行されうる。他の実装では、例えば、図５に示されているようなＸ２接続５５０などを介して、ｅＮＢ５１０と５２０との間で調整を直接管理することができる。例えば、第１のｅＮＢ５１０は、１つまたは複数のサービスを受ける第１のＵＥ（図５に示されていない）と通信している、サービスを提供する基地局またはｅＮＢとして表すことができる。第２のｅＮＢ５２０は、同様に、第１のＵＥ（複数可）に直接的にはサービスを提供していないことを示す、サービスを提供しない基地局またはｅＮＢとして表すことができる。
【００６０】
表記「第１の基地局」、「第１のｅＮＢ」、「第２の基地局」、「第２のｅＮＢ」、および同様の表記は、例示することを目的として用意されたものであり、これらに関連付けられている特徴および機能は、相互に入れ換えることができるだけでなく、図５に示されていない他の通信デバイスおよびコンポーネントにも適用可能であることに留意されたい。
【００６１】
図６は、ｅＮＢ５１０および５２０とＵＥ６３０および６４０との間の信号送信に関係するシステム５００の追加の詳細を示している。特に、第１の、またはサービスを提供するｅＮＢ５１０は、第１のまたはサービスを受けるＵＥ６３０と通信しているか、またはＵＥ６３０と通信することを望んでいる場合がある。通信リンクは、ｅＮＢ５１０とＵＥ６３０との間のダウンリンク（ＤＬ）６５２だけでなく、ＵＥ６３０とｅＮＢ５２０との間のアップリンク（ＵＬ）６５４をも含みうる。
【００６２】
同様に、第２の、またはサービスを提供しない基地局５２０は、例えば、ＤＬ６４４およびＵＬ６４２などを介して、第２のｅＮＢのサービスを受けるＵＥ６４０と通信しているものとしてよい。それに加えて、ｅＮＢ５２０は、例えば、ｅＮＢ５２０とＵＥ６３０との間の距離が近いため生じうる、例えば、ｅＮＢ５２０からのシグナリングがｅＮＢ５１０からのシグナリングに比べて強い場合などの、ＵＥ６３０との干渉（図示せず）を生じている可能性がある。
【００６３】
一態様によれば、第２のｅＮＢ５２０は、ｅＮＢ５１０から他の何らからの方法で供給されるシグナリングをＤＬ６６０を介して供給するように構成されうる。この情報は、サービスを提供するＵＥモジュール６１５などから（例えば、ｅＮＢ５１０によって使用される同じリソース要素（ＲＥ）を使用することで）、ｅＮＢによって提供される情報に加えて提供されうる。この場合、ｅＮＢ５２０から送られるシグナリングは、ｅＮＢ５１０から送られるシグナリングを支配するか、またはオーバーライドする。いくつかの場合において、シグナリングは、例えば、ｅＮＢ５２０から実行されている送信を省くか、または調節するなどのために、ｅＮＢ５１０から変更することもできる。ｅＮＢ５１０は、ダウンリンク６５２とアップリンク６５４とを介してデータおよび情報をＵＥ６３０との間で送受信するように構成されうる、サービスを提供するＵＥモジュール６１５を含みうる。このデータおよび情報は、全体としてまたは一部だけｅＮＢ５２０によって複製されうる、制御チャネル情報を含むことができる。
【００６４】
このアプローチは、特定の基地局が伝統的にシグナリング、および特に、特定の制御および関係情報のシグナリングを、サービスを受けるＵＥなどの、そのセル内のノードにのみ送るように構成されているという点で伝統的に使用されているアプローチと区別される。この態様によれば、第２のサービスを提供しない基地局５２０から異なるセルに関連付けられている第１の基地局５１０によるサービスを受けているＵＥ６３０へのシグナリング、および特に制御シグナリングが実行されうる。このようなシグナリングは、例えば図５に示されているような相互接続を使用などして、ｅＮＢ５２０と５１０との間の調整に基づき送ることができる。したがって、ｅＮＢ５２０は、ｅＮＢ５１０によって通常であれば送られる少なくとも一部のシグナリングへのプロキシとして動作しうる。このシグナリングは、プロキシシグナリングを実装するためのハードウェア、ファームウェア、および／またはソフトウェアを備えることができる、プロキシ・モジュール６２５によって円滑に行わせるようにできる。
【００６５】
例えば、サービスを提供しない第２の基地局５２０からＵＥ６３０に送られる信号は、物理ダウンリンク制御チャネル（ＰＤＣＣＨ）または他の制御チャネルであってよい。ｅＮＢ５２０から送られるシグナリングに対するリソース要素（ＲＥ）割り当ては、例えば、ｅＮＢ５１０によるサービスを受けるセルに関連付けられているセルＩＤ、ＰＣＦＩＣＨ、および／またはＰＨＩＣＨであるものとしてよい。一実施形態では、ｅＮＢ５２０は、ｅＮＢ５１０に関連付けられているセルに対するシステム情報ブロック（ＳＩＢ）ＰＤＣＣＨを送る。ＰＤＣＣＨは、ｅＮＢ５１０のセルＩＤに基づく異なるＲＮＴＩまたはＣＲＣマスクを有することができる。それに加えて、セルとセルとの間の調整を、ＳＩＢリソース・ブロック（ＲＢ）割り当てを直交化するために実行することができる。
【００６６】
しかし、ｅＮＢ５２０が、ｅＮＢ５１０によるサービスを受けるセルに関連付けられている情報を送る場合、これは、図６に示されているＵＥ６４０などの、これのサービスを受けているＵＥに問題を引き起こす可能性がある。特に、ＤＬ６４４の送信は、干渉もしくは他の何らかのものがＵＥ６４０に問題を引き起こす形で現れるように影響を受ける可能性がある（例えば、自リソースグリッドに揃えられていない送信の場合、それぞれのセルがそのリソースにインデックスを付ける固有の仕方を有するので不適切なリソースにおいてサービスを受けるＵＥに情報が送られる可能性がある）。実際、他のセルに揃えられた送信の場合、結果としてトーンおよび周波数の情報が、セルＩＤに関して定義されている、共通の基準信号（ＣＲＳ）の位置など、誤配置される可能性がある。
【００６７】
これは、例えば、自ＵＥ（例えば、ＵＥ６４０）に対するＰＤＣＣＨを送るときにｅＮＢ５１０に関連付けられているセルに対するＰＤＣＣＨターゲティング（PDCCH targeting）が及ぶＲＥを回避することによって抑圧されうる。例えば、ＰＤＣＣＨシグナリングを直交化すること、ＰＤＣＣＨ電力制御を行うこと、ＰＤＣＣＨのパンクチャリングを実行すること、または他の回避技術を使用することによって回避を行うことができる。例えば、強いセルが自ＰＤＣＣＨを送る必要があり、他のセル（例えば、ｅＮＢ５１０に関連付けられているセル）のＰＤＣＣＨによって占有されているＲＥでは、ｅＮＢ（例えば、ｅＮＢ５２０）は、それらのＲＥ上でデータを送ることはできず、および／またはパワースペクトル密度を下げるか、または他のシグナリング・パラメータを調節することができる。いくつかの場合において、いくつかのリソースにおけるデータのパンクチャリング（つまり、間引くこと、または送らないこと）を実行するとよい。
【００６８】
図７は、図６に関して説明されているような、プロキシ通信を実行するための例示的なプロセス７００を示している。プロキシ送信（例えば、ｅＮＢ５１０に関連付けられている情報の、例えば、ｅＮＢ５２０からＵＥ６３０への送信）より前に、ｅＮＢ５１０および５２０は、例えば、図４Ａ、４Ｂ、および５に示されているようなインターフェースを介して通信することができる。この通信は、ｅＮＢ間で、例えば、チャネル構成情報、ＰＤＣＣＨ、ＰＣＦＩＣＨ、ＰＨＩＣＨ、セルＩＤ、および／または他の情報などの情報を共有するために段階７１０における調整を伴いうる。次いで、段階７２０において、第２のｅＮＢ、例えば、ｅＮＢ５２０は、他のノードおよび関連付けられているセルによって、ＵＥ６３０などに通常であれば送られる、制御情報などの、情報を送ることができる。これは、例えば、プロキシ・モジュール６２５によって行うこともできる。次いで、処理モジュール６３５において、リンク６６０を介して送ることができる、プロキシシグナリングを受信し、処理することができる。
【００６９】
別の態様では、２つ（またはそれ以上）のｅＮＢが通信を行って、衝突および関連する干渉を最小にするようにシグナリングを調整することができる。調整は、例えば、図４Ａ、４Ｂ、および５で説明されているようにｅＮＢ間で例えばシグナリングおよびインターフェースを使用して行うことができる。一例では、両方のｅＮＢが、例えば、Ｘ２インターフェースを介した通信またはコアネットワークとの通信などにより、干渉状態を認識するか、または認識させられうる。したがって、ｅＮＢは、リソースの使用を調整して干渉を最小にすることができる（つまり、ＲＥにおける衝突またはオーバーラップを最小にするためにそのＲＥの使用を制御での使用に合わせて計画することができる）。
【００７０】
３ＧＰＰ  ＬＥ仕様において定義されているように、制御チャネルはいくつかの時間周波数リソース（例えば、ＲＥ）を占有する。特に、いくつかのリソースは、制御データにより割り当てられ、物理ダウンリンク制御チャネル（ＰＤＣＣＨ）、物理ハイブリッドＡＲＱインジケータ・チャネル（ＰＨＩＣＨ）、および物理制御フォーマット・インジケータ・チャネル（ＰＣＦＩＣＨ）は、前に説明されているように、他のセルおよび関連付けられているｅＮＢから物理ダウンリンク共有チャネル（ＰＤＳＣＨ）上で送られるデータと衝突する可能性のある、いくつかのリソースに割り当てられうる。
【００７１】
ＬＴＥにおける制御チャネル・シグナリングは、物理レイヤ信号またはメッセージを供給するために使用される。一般に、ダウンリンク制御チャネルは、システム帯域幅全体に広がる（例えば、リリース８で説明されているように１．０８ＭＨｚに対応する６個のリソース・ブロックから１１０個のリソース・ブロックまたは１９．８ＭＨｚまでとすることができる）サブフレーム内の最初の１つ、２つ、または３つのＯＦＤＭシンボルを占有するように構成することができる。これの例は、１つの例示的なリソース構成９００を示す図９に示されている。この例では、ボックスは、周波数が垂直方向に示され、ＯＦＤＭシンボル（時間）が水平方向に示されている、リソースを表している。
【００７２】
最初の３つのＯＦＤＭシンボル９１０に関連付けられているリソースは、ＤＬ制御チャネルでの使用のための一領域として定義される。いくつかの特別な場合において、他の制御シグナリングが、例えば、マルチキャスト／ブロードキャスト単一周波数ネットワーク（ＭＢＳＦＮ）送信で、または狭帯域実装（例えば、１０個未満のブロック）などのために使用されうる。
【００７３】
このリソース構成９００において、さまざまな制御信号をマッピングすることができる。例えば、それぞれのサブフレーム内の制御チャネル情報の送信のために使用されるＯＦＤＭシンボルの数（例えば、図９の例に示されているように１、２、または３）を示す制御フォーマット・インジケータ（ＣＦＩ）を伝送するＰＣＦＩＣＨが、いくつかのリソースにマッピングされる。特に、ＰＣＦＩＣＨは、ＱＰＳＫ変調を使用して１６個のリソース要素（ＲＥ）にマッピングされ、これら１６個のリソース要素は、信号を受信するＵＥが残りの制御シグナリングをデコードするようにＰＣＦＩＣＨ情報を常に配置することができるようにそれぞれのダウンリンク・サブフレーム内の第１のＯＦＤＭシンボルにおける定義済みパターン内の周波数領域にわたって（つまり、図９に示されているような垂直方向に）分配される。それに加えて、近接セルからのＰＣＦＩＣＨ情報と混同する可能性を最小にするために、物理セルＩＤ（プライマリ同期信号（ＰＳＳ）とセカンダリ同期信号（ＳＳＳ）とから決定することができる）に依存するセル特有のオフセットをＰＣＦＩＣＨリソース要素の位置に適用する。セル特有のスクランブルシーケンスもＣＦＩコードワードに適用して、ＵＥが所望のセルからＰＣＦＩＣＨを優先的に受信するようにできる。
【００７４】
もう１つのチャネルは、ＰＨＩＣＨであり、これは、基地局またはｅＮＢが物理アップリンク共有チャネル（ＰＵＳＣＨ）上で送信を正しく受信したかどうかを示す、ハイブリッド自動再送要求（ＨＡＲＱ）を伝送する。ＰＨＩＣＨ持続時間は、通常は１つまたは３つのいずれかのＯＦＤＭシンボルに合わせて構成することが可能である。ＰＨＩＣＨは、（ＰＣＦＩＣＨによる信号で通知されるように）それぞれのサブフレームの開始位置での制御チャネル領域のサイズに下限を定めるＰＤＳＣＨ送信領域内に入り込むことはできない。
【００７５】
ＰＤＤＣＨは、ＵＥまたはＵＥのグループに対するリソース割り当ておよび他の制御情報を含む、下り制御情報（ＤＣＩ）と呼ばれるメッセージを伝送する。一般に、いくつかのＰＤＣＣＨが１つのサブフレームで送信されうる。それぞれのＰＤＣＣＨは、１つまたは複数の制御チャネル要素（ＣＣＥ）を使用して送信され、それぞれのＣＣＥは、リソース要素グループ（ＲＥＧ）と称されるそれぞれ４つの物理リソース要素からなる９個の集合に対応し、４つのＱＰＳＫシンボルはそれぞれのＲＥＧにマッピングされる。ＲＥＧは、ＰＣＦＩＣＨおよびＰＣＨＩＣＮ制御チャネルにも使用される。特定のＰＤＣＣＨの送信に使用されるＣＣＥの数は、チャネル状態情報に応じて基地局またはｅＮＢによって決定される。例えば、ＰＤＣＣＨが良好なダウンリンク・チャネル（例えば、強い信号／ｅＮＢに近い）を持つＵＥを対象とする場合、１つのＣＣＥで十分であると思われる。しかし、チャネルが良好でない（例えば、ＵＥがセル境界に近いか、または干渉の影響を受けやすい）場合、ロバスト性をサポートするために複数のＣＣＥが必要になることもある。それに加えて、ＰＤＣＣＨの電力レベルを、チャネル状態に一致するように調節することができる。
【００７６】
一態様では、調整は、セル間の干渉を抑圧するために、上述のパラメータなどで制御シグナリングを調整することを含みうる。例えば、一実装では、２つ（またはそれ以上）のｅＮＢが、ダウンリンク制御シグナリングに使用する制御シンボル（つまり、ＯＦＤＭシンボル）の数に関して調整することができる。典型的な一実装では、領域またはサービスエリア内のすべてのセルは、一般的に、同じ数のシンボルを使用するように構成される。しかし、干渉している可能性のある隣接する、または近接するセル内のｅＮＢなどのノード間の調整を行うことによって、シンボルの数をセルとセルとで変化させることができる。例えば、一方のセルが３つのシンボルを使用することを選択することができるが、別のｅＮＢが１つ、または２つのシンボルを使用すること選択することができる。さまざまな実装において、他の組み合わせも使用することができる。
【００７７】
別の態様では、ＰＤＣＣＨをセル間で変えることができる。ＰＤＣＣＨ情報ビットは、符号化とレートマッチングが行われ、そこでビットはセル特有のスクランブルシーケンスでスクランブルされ、次いでこれは４個のＱＰＳＫシンボルのブロック（つまり、ＲＥＧ）にマッピングされる。一例では、４つのＰＤＣＣＨ構成が利用可能であるものとしてよい。これは、衝突回数を最小限度に押さえるために隣接セル内のｅＮＢがこれらを選択する場合である（例えば、リソースのオーバーラップ）。例えば、一方のｅＮＢがリソースの第１の集合を選択し、第２のｅＮＢが、リソースの第２の集合を選択することができる。次いで、これらのリソースを比較して、オーバーラップが最小になるように調節することができる。一例では、ＰＤＣＣＨは、送る場所を４つ有するものとしてよい。第１のｅＮＢが４つの選択のうちの１つをピックし、他方に、選択したもののうちの１つを知らせる場合、第２のｅＮＢは、残り４つのうちの１つを選択することができる。いくつかの場合において、第２のｅＮＢは、残りの選択のそれぞれを評価し、最小回数の衝突を引き起こすものを選択することができる。衝突は、セルＩＤ、フレーム番号、ＰＤＣＣＨチャネルＩＤ、または番号などのパラメータに依存しうる。これらのパラメータを変化させて、衝突回数が最小の割り当て（つまり、ＲＥがセル間でオーバーラップする）を決定することができる。
【００７８】
一実装では、これらのｅＮＢのうちの第１のｅＮＢは、第２の（または他の）ｅＮＢに選択されたＲＥＧを通知することができ、このレベルで調整を実行することができる。次いで、例えば、第２の、または他のｅＮＢは、他の利用可能なリソース要素パターンを比較して、衝突が最小となるようなものを選択することができる（例えば、リソース要素がオーバーラップする）。
【００７９】
調整は、動的な方法で、および／またはサブフレームのレベルなどの、構造レベルで行うことができ、調整は、半静的であり、および／または１つの無線フレームの部分集合に制限されうる。
【００８０】
隣接するか、または近接するセル内のｅＮＢなどのノード間で調整を実行することによって、ＵＥは、例えば、弱いセル（限定加入者グループ（ＣＳＧ）フェムトセルまたはピコセルなどの、より近いセルが干渉を引き起こしているオープンマクロセル（open macrocell）など）に接続される。
【００８１】
図８は、調整を実行して干渉を抑圧するための例示的なプロセス８００の詳細を示している。段階８１０において、例えば、図６のｅＮＢ５１０および５２０などの、２つ（またはそれ以上）の基地局もしくはｅＮＢは、干渉状態に関して、また調整リソースに関心のあることに関して通信することができる。調整は、例えば、第１のｅＮＢがリソース要素を選択し、この情報を第２のｅＮＢに送ることを伴いうる。例えば、第１の、または第２のｅＮＢにリソースの第１の集合およびリソースの第２の集合を選択させ、これらのうちの一方または両方を他方のｅＮＢに伝達することなどの、他の調整も可能である。段階８２０において、一方または両方のｅＮＢが、適切なリソース使用度を決定することができる。例えば、一実装では、第２のｅＮＢは、第１のｅＮＢから受信した情報に基づき、潜在的なリソース使用度を選択することができ、次いで、これを評価して、衝突（つまり、ＲＥのオーバーラップ）の回数などの、衝突計量を決定することができる。制御シグナリングに関連する図９に示されているようなＲＥは、ＲＥレベル、ＲＥＧレベル、ＣＣＥレベル、フレームもしくはサブフレームレベルで、または他の基準に基づき、セル間のオーバーラップが最小になるように選択されうる。調整は、半静的であるものとしてよいか、または無線フレームの部分集合に制限されうる。さまざまな実装では、１つまたは複数の潜在的リソース使用度を評価することができ、１つを、衝突を最小にするように選択することができる。次いで、段階８２０において、ダウンリンクシグナリングを一方または両方のｅＮＢから送ることができ、ＤＬシグナリングは決定されたリソース使用度と一致するように送られる。
【００８２】
図１０は、システム情報ブロック（ＳＩＢ）を供給するクロスセル・シグナリングのためのプロセス１００の例示的な一実施形態を示している。従来のＬＴＥ実装では、それぞれのｅＮＢ／セルは、ＳＩＢを独立して配置することができる（つまり、ネットワークまたは領域上で、選択されたセル特有のＳＩＢ位置を使用する）。あるいは、一態様によれば、ＳＩＢ位置（例えば、ＰＤＣＣＨ内の）は、ネットワークまたは領域とともに複数のセルにまたがって共通ものもであってよく、これらのセルは共通の位置情報を送信することができる。特に、段階１０１０において、複数のセル、および例えば、図３に示されているような２つまたはそれ以上のｅＮＢなどの、関連付けられているｅＮＢが、ＳＩＢ送信のために共通の制御を行うように調整することができる（例えば、位置、変調情報など）。これは、セル間の調整によって行うことができ、および／またはコアネットワーク機能によって行うことができる。このアプローチを使用すると、すべてのネットワーク・ノードがＳＩＢトラヒック（ネットワークまたは領域に共通の）をどこに配置すべきかを知るが、これはＳＩＢ変調符号化方式（ＭＣＳ）がネットワークまたは領域全体を通して同じであることを意味する。実際、このアプローチでは、定義されている仕様である、物理ブロードキャスト・チャネル（ＰＢＣＨ）と他の固定チャネルとに使用されているのと似た、半固定スケジューリングを生成するが、この場合、ＳＩＢ制御情報は、仕様要件と無関係に調節することができる。段階１０２０において、共通ＳＩＢ制御シグナリングがすべてのセルから送られ、次いで、ＵＥによって使用され、段階１０３０においてサービスを受けるセルに対するＳＩＢトラヒックを配置することができる。次いで、ＵＥは、適切なＳＩＢ情報を受信してデコードすることができる。
【００８３】
図１１は、ＳＩＢを供給するクロスセル・シグナリングのための別のプロセス１００の例示的な一実施形態を示している。この場合、セルは、近接要素だけでなくその自セルのＳＩＢ情報（つまり、複数のセル制御情報）を送ることができる。例えば、１つのセルが、異なる無線ネットワーク一時識別子（ＲＮＴＩ）を使用して近接セル間のリソース・ブロック（ＲＢ）割り当てを示すＳＩＢ  ＰＤＣＣＨを送る。ＲＮＴＩは、物理チャネル上で送信すべきコードワードのそれぞれの中の符号化されたビットをスクランブルするために主にｅＮＢ物理レイヤ（ＰＨＹ）によって使用される。ＰＨＹにおけるこのスクランブル・プロセスは、変調前に行われる。スクランブルに対して続くシーケンスがあり、この計算は、ＲＮＴＩ（ＰＤＳＣＨ、ＰＵＳＣＨのようなチャネルについてはＵＥ特有であり）と、ＰＢＣＨのようなブロードキャスト・チャネルについては）セル特有に依存する。特に、段階１１１０では、図３に示されているような、２つの基地局またはｅＮＢは、各セルに対するリソース・ブロック割り当てを示すように調整することができる。段階１１２０において、マルチセルＳＢ位置情報を１つまたは複数のｅＮＢから送ることができる。段階１１３０において、ＵＥは、マルチセルＳＩＢ位置情報を受信して、そのセル特有の情報を抽出し、その後、その情報を使用して、それらのセルに関連付けられているＳＩＢトラヒックを受信し処理することができる。いくつかの場合において、マルチセルＳＩＢ位置情報は、隣接セルなどの、他のセルからＳＩＢトラヒックを受信して処理するためにＵＥ側で使用することもできる。これは、例えば、ＳＩＢ  ＰＤＣＣＨ内の予約ビットを使用してリソース・ブロックに対するビットマップ情報を伝達する方法で実装されうる。一般に、同じＳＩＢ  ＭＣＳが複数のセルにまたがって使用される。セル調整は、ＳＩＢ  ＲＢ割り当てを直交化するためにさらに実行されうる。
【００８４】
シグナリング制御情報に加えて、すでに述べたように、別の態様では、セル間でトラヒックを信号で伝えることもできる。例えば、一実装では、第１のｅＮＢが、異なる１つまたは複数のセルに接続されている１つまたは複数のセルに対して物理ダウンリンク共有チャネル（ＰＤＳＣＨ）を送る。この場合、異なる１つまたは複数のセルからのＳＩＢ情報などの情報をｅＮＢの自ＳＩＢ情報に連結することができる。
【００８５】
別の態様では、ＲＮＴＩマスクを用いるクロスセル・シグナリングを使用することができる。この場合、第１のセル内のｅＮＢは、第１のセル内のユーザーに対してＳＩＢおよび／またはデータ情報を、例えば、リリース８などの仕様において定義されているＲＮＴＩと異なることがある、特別なＲＮＴＩとともに送る。ＳＩＢおよび／またはページングに対するＰＤＣＣＨ割り当て、および／または第１のセルから送信されるが、第２のセルを宛先とするデータは、第１のセルのセルＩＤ、ＰＣＦＩＣＨおよびＰＣＩＣＨ構成に基づくものとしてよい。第１のセルによるサービスを受けるＵＥは、第１のセルからＰＢＣＨとＰＣＦＩＣＨとを読み出す必要がある場合がある。特別なＳＩＢ／ページングＲＮＴＩへのセルＩＤリンクは、第１のセルのＳＩＢ情報で、および／または無線リソース制御（ＲＲＣ）シグナリングを通じて伝送されうる。いくつかの実施形態では、特別なＳＩＢ／ページングＲＮＴＩは、例えば、リリース８などの仕様に記載されている予約済みＲＮＴＩに基づき割り当てることができる。
【００８６】
別の態様では、第１のｅＮＢは、異なる１つまたは複数のセルから制御および／またはデータをデコードすることができるかどうかに関して信号でＵＥに知らせることができる。これは、例えば、ブロードキャスト・チャネルを使用し、ＲＲＣシグナリングを通じて、および／または他のｅＮＢからＵＥへのシグナリングを介して実行されうる。この場合、ＵＥは、第１のｅＮＢまたは第２のセルに関連付けられている第２のｅＮＢによって送られうる、第１のセルのＳＩＢ情報（第１のｅＮＢによって送られる）と第２のセルのＳＩＢ／ページング情報を読み取る必要がある場合がある。
【００８７】
図１２は、ワイヤレス通信システム内のノード間で調整された送信を行うためのプロセス１２００の一実施形態を例示している。段階１２１０において、ＤＬチャネル・リソース構成を、例えば、図３と５とに示されているような、第１の基地局またはｅＮＢと第２の基地局またはｅＮＢとの間で決定することができる。ＤＬチャネル・リソース構成は、一方または両方の基地局によって、および／または図２に示されているような、コアネットワーク要素などの、別のコンポーネントと連携して決定されうる。この構成は、第２の基地局と第１の基地局によるサービスを受ける端末もしくはユーザー機器（ＵＥ）との間の干渉を最小にするように決定されうる。段階１２１０において、シグナリングは、ＤＬチャネル・リソース構成に一致する形で、第２の基地局から送信されうる。
【００８８】
ＤＬチャネルは、例えば、制御チャネルであってよい。この決定することは、例えば、制御チャネル・シグナリングのために第１の基地局と第２の基地局との間で割り当てるべき異なる数のシンボルを調整することを含みうる。使用されるシンボルの数は、例えば、第１の基地局に対して１つのシンボル、および第２の基地局に対して２つのシンボル、または第２の基地局に対して１つのシンボル、および第１の基地局に対して２つのシンボル、または第１の基地局に対して２つのシンボル、および第２の基地局に対して３つのシンボル、または第１の基地局と第２の基地局との間で（さらには、２つより多い基地局の間で調整が実行される実装などにおいては、追加の基地局に対して）異なる数のシンボルの他の組み合わせとして割り当てることができる。
【００８９】
ＤＬチャネルは、例えば、制御チャネルであってよい。制御チャネル・リソース構成は、リソース要素（ＲＥ）レベル、ＲＥＧレベル、および／または制御チャネル要素（ＣＣＥ）レベルに基づき決定されたチャネル構成に関係するものとしてよい。制御チャネル・リソース構成は、１つまたは複数のサブフレームに関して動的に決定することができる。制御チャネル・リソース構成は、半静的に決定することができる。制御チャネル・リソース構成は、無線フレームの部分集合に関して決定することもできる。
【００９０】
ＤＬチャネルは、制御チャネルと物理ダウンリンク共有チャネル（ＰＤＳＣＨ）とを備えることができる。ＤＬチャネルは、物理ダウンリンク制御チャネル（ＰＤＣＣ）、物理制御フォーマット・インジケータ・チャネル（ＰＣＦＩＣＨ）、物理ハイブリッドＡＲＱインジケータ（ＰＨＩＣＨ）チャネル、および物理ダウンリンク共有チャネル（ＰＤＳＣＨ）のうちの１つまたは複数を備えることができる。
【００９１】
干渉を最小にすることは、第１の基地局からの１つまたは複数のチャネルと第２の基地局からの１つまたは複数のチャネルとの間の衝突の割合を所定の閾値より低い値に設定するようにＤＬチャネル・リソース構成を決定することを含むことができる。１つまたは複数のチャネルは、ＰＤＣＣ、ＰＣＦＩＣＨ、ＰＨＩＣＨ、およびＰＤＳＣＨのうちの１つまたは複数を含むことができる。
【００９２】
第１の基地局および／または追加の基地局からシグナリングを送ることができる。第１の基地局および／または追加の基地局からのシグナリングは、ＤＬチャネル・リソース構成とも一致しうる。
【００９３】
図１３は、一方のセル内の基地局もしくはｅＢから別のセル内の端末もしくはＵＥへプロキシシグナリングを送るための例示的なプロセス１３００の一実施形態を示している。段階１３１０において、制御情報は、第１のセルに関連付けられている第１の基地局もしくはｅＮＢで、受信するか、または決定することができ、制御情報は第２のｅＮＢによるサービスを受ける第２のセルに関連付けられている。例えば、第１のｅＮＢおよび第２のｅＮＢは、図３と６とに示されているようなｅＮＢとすることができる（第１のｅＮＢおよび第２のｅＮＢは、図６に示されている構成に関して反転させてもよい）。段階１３２０において、制御情報は、第２のセルおよび関連するＵＥから送ることができ、情報は第１のｅＮＢによるサービスを受けている第１のセル内の１つまたは複数のＵＥによって受信されるように送られる。第１の基地局から送られた制御情報は、第２のネットワーク・セルにサービスを提供する第２のｅＮＢに関連付けられうる。
【００９４】
決定することは、例えば、第２のネットワーク・セルに関連付けられている特性に基づき、ダウンリンク・チャネル・リソースの集合を識別することを含みうる。この特性は、第２のネットワーク・セルのセルＩＤ、ＰＣＦＩＣＨ構成、およびＰＨＩＣＨ構成のうちの１つまたは複数を含むことができる。制御情報は、制御シグナリング、ページング情報、およびシステム情報ブロードキャスト（ＳＩＢ）情報のうちの１つまたは複数を含みうる。
【００９５】
送信することは、例えば、第２のネットワーク・セルに関連付けられているダウンリンク・チャネル情報と一致するＰＣＦＩＣＨ、ＰＤＣＣＨ、およびＰＨＩＣＨのうちの少なくとも１つを備えるダウンリンク・チャネル上で情報を送ることを含みうる。
【００９６】
このプロセスは、例えば、第１の基地局から第１のネットワーク・セルに関連付けられている１つまたは複数のＵＥに他の情報を送信することをさらに含みうる。送信することは、ダウンリンク・チャネル・リソースに基づき決定された送信リソース構成を使用することができる。このプロセスは、ダウンリンク・チャネル・リソースとの干渉を引き起こすことを回避するように送信リソース構成を選択することをさらに含みうる。他の情報も、ＰＤＣＣＨを使用して送信することができ、送信リソース構成は、第２のネットワーク・セルに関連付けられているＰＤＣＣＨリソースとの干渉を低減するように選択されうる。
【００９７】
干渉は、例えば、ＰＤＣＣＨ直交化、ＰＤＣＣＨ電力制御、およびＰＤＣＣＨパンクチャリングのうちの少なくとも１つに従って送信リソース構成を選択することによって低減されうる。この情報は、例えば、第２のネットワーク・セルに関連付けられているページング情報またはＳＩＢ情報のうちの少なくとも１つを含みうる。送信することは、ＰＤＳＣＨ上で情報を送信することを含みうる。
【００９８】
この情報は、例えば、第１のネットワーク・セルに関連付けられているＳＩＢ情報をさらに含むことができる。ＳＩＢ情報は第２のネットワーク・セルに関連付けられ、第１のネットワーク・セルに関連付けられているＳＩＢ情報に連結することができる。送信することは、例えば、ＲＮＴＩマスクをその情報に適用することを含むことができる。このプロセスは、ＳＩＢ情報およびＲＲＣシグナリング情報のうちの少なくとも一方の中のＲＮＴＩマスクに関係する情報を送信することをさらに含むことができる。このプロセスは、予約済みＲＮＴＩの定義済み集合からＲＮＴＩマスクを選択することをさらに含みうる。
【００９９】
図１４は、ワイヤレス通信を行うための例示的なプロセス１４００の一実施形態を示している。プロセス１４００は、図３、６、および１５に示されているような端末またはＵＥなどのワイヤレスネットワークデバイスで実装されうる。段階１４１０において、第１のセル内のサービスを提供する基地局からの信号を受信することができる。これらの信号は、例えば、第２のセル内のｅＮＢからの干渉の影響を受けやすい場合がある。段階１４２０において、情報は、図３と６とに示されているような別のセル内の第２の基地局であってもよい、別の基地局からＵＥで受信することができる。情報は、第１のセルと第１の基地局とに関連付けられているダウンリンク・チャネル・リソースに従って第２の基地から提供されうる。
【０１００】
ダウンリンク・チャネル・リソースは、例えば、第１のネットワーク・セルに関連付けられている特性に基づき、決定されうる。この特性は、第１のネットワーク・セルのセルＩＤ、ＰＣＦＩＣＨ構成、およびＰＨＩＣＨ構成のうちの１つまたは複数を含むことができる。この情報は、制御シグナリング、ページング情報、およびＳＩＢ情報のうちの１つまたは複数を含みうる。この情報を受信することは、ダウンリンク・チャネル上でその情報を受信することを含みうる。ダウンリンク・チャネルは、ＰＣＦＩＣＨ、ＰＤＣＣＨ、およびＰＨＩＣＨのうちの１つまたは複数を含むものとしてよい。この情報は、第１のネットワーク・セルに関連付けられているページング情報またはＳＩＢ情報のうちの少なくとも１つを含みうる。
【０１０１】
この情報を受信することは、ＰＤＳＣＨ上でその情報を受信することを含みうる。この情報は、例えば、第２のネットワーク・セルに関連付けられているＳＩＢ情報をさらに含むことができる。ＳＩＢ情報は第１のネットワーク・セルに関連付けられ、第２のネットワーク・セルに関連付けられているＳＩＢ情報に連結することができる。
【０１０２】
図１５は、本明細書で説明されている態様および機能が実装されうる、例示的なＬＴＥ通信システム１５００内の基地局１５１０（つまり、ｅＮＢ、ＨｅＮＢなど）および端末１５５０（つまり、端末、ＡＴ、またはＵＥなど）の一実施形態のブロック図を示している。これらのシステムは、図１〜６に示されているシステムに対応しているものとしてく、本明細書の図７、８、および１０〜１４にすでに例示されているプロセスを実装するように構成されうる。
【０１０３】
基地局１５１０内の図示されているようなプロセッサおよびメモリにおいて（および／または図示されていない他のコンポーネントにおいて）、干渉抑圧を円滑にし、他の基地局およびＵＥからシグナリングを送受信し、さらには本明細書で説明されているような他の機能を実現するために他の基地局との調整などのさまざまな機能を実行することができる。ＵＥ１５５０は、基地局１５１０および／または他の基地局（図示されていない、本明細書ですでに説明されているサービスを提供しない基地局など）から信号を受信し、ＤＬ信号を受信し、チャネル特性を決定し、チャネル推定を実行し、受信されたデータを復調して空間情報を生成し、電力レベル情報および／または基地局１５１０もしくは他の基地局（図示せず）に関連付けられている他の情報を決定するための１つまたは複数のモジュールを備えることができる。
【０１０４】
一実施形態では、基地局１５１０は、別の基地局および他の関連するセルに関連付けられているシグナリングなどの、シグナリングを決定し、送るために本明細書ですでに説明されているように他の基地局と調整することができる。これは、プロセッサ１５１４、１５３０およびメモリ１５３２などの、基地局１５１０の１つまたは複数のコンポーネント（または図示されていない他のコンポーネント）において実行されうる。基地局１５１０は、送信モジュール１５２４などの、ｅＮＢ１５１０の１つまたは複数のコンポーネント（または図示されていない他のコンポーネント）を含む送信モジュールを備えることもできる。基地局１５１０は、干渉除去機能を実現するためにプロセッサ１５３０、１５４２、復調装置モジュール１５４０、およびメモリ１５３２などの、１つまたは複数のコンポーネント（または図示されていない他のコンポーネント）を含む干渉除去モジュールを備えることができる。基地局１５１０は、本明細書で説明されているようなクロスセル調整および送信機能を実行し、および／または調整ＤＬ情報および／またはプロキシ情報を送るために使用することができる送信機モジュールを管理するためにプロセッサ１５３０、１５１４およびメモリ１５３２などの、１つまたは複数のコンポーネント（または図示されていない他のコンポーネント）を含むサブフレーム・パーティション調整モジュールを備えることができる。基地局１５１０は、受信機機能を制御するための制御モジュールを備えることもできる。基地局１５１０は、図２に示されているようなコアネットワーク内のバックホール・システムまたは他のコンポーネントなどの、他のシステムとのネットワーク通信機能を実現するためのネットワーク接続モジュール１５９０を備えることができる。
【０１０５】
同様に、ＵＥ１５５０は、受信機１５５４などの、ＵＥ１５５０の１つまたは複数のコンポーネント（または図示されていない他のコンポーネント）を含む受信モジュールを備えることができる。ＵＥ１５５０は、プロセッサ１５６０および１５７０、ならびにメモリ１５７２などの、ＵＥ１５５０の１つまたは複数のコンポーネント（または図示されていない他のコンポーネント）を含む信号情報モジュールを備えることもできる。一実施形態では、ＤＬ信号を受信し、および／またはＤＬ信号からＳＩＢ情報などの情報を抽出するために、ＵＥ１５５０で受信された１つまたは複数の信号が処理される。追加の処理は、基地局１５１０および／または他の基地局（図示せず）などの、ｅＮＢに関するチャネル特性、電力情報、および／または他の情報を推定することを含みうる。メモリ１５３２および１５７２は、本明細書で説明されている態様および機能に関連付けられているプロセスを実装するために、プロセッサ１５６０、１５７０、および１５３８などの、１つまたは複数のプロセッサ上で実行するためのコンピュータコードを格納するために使用されうる。
【０１０６】
動作時に、基地局１５１０において、多数のデータストリームのトラヒックデータが、データソース１５１２から送信（ＴＸ）データプロセッサ１５１４に送られ、そこで、処理され、１つまたは複数のＵＥ１５５０に送信されうる。送信データは、１つまたは複数のＵＥ１５５０で、インターリーブされたサブフレーム送信を行い、および／または関連する信号測定を実行するために本明細書の前の方で説明されているように制御されうる。
【０１０７】
一態様では、それぞれのデータストリームが処理され、基地局１５１０の各送信機サブシステム（送信機１５２４1〜１５２４Ntとして示されている）上で送信される。ＴＸデータプロセッサ１５１４は、そのデータストリームについて選択された特定のコード体系に基づきそれぞれのデータストリームのトラヒックデータを受信し、フォーマットし、符号化し、インターリーブして、符号化データを出力する。特に、基地局１５１０は、特定の基準信号と基準信号パターンとを決定し、選択されたパターンで基準信号および／またはビームフォーミング情報を含む送信信号を送るように構成されうる。
【０１０８】
それぞれのデータストリームについて符号化されたデータは、ＯＦＤＭ技術を使用してパイロットデータと多重化できる。パイロットデータは、典型的には、知られている方法で処理され、チャネル応答を推定するために受信機システムにおいて使用できる。例えば、パイロットデータは、基準信号を含むことができる。パイロットデータは、図１５に示されているようにＴＸデータプロセッサ１５１４に送られ、符号化データと多重化されうる。次いで、それぞれのデータストリームの多重化されたパイロットおよび符号化データは、そのデータストリームに対し選択された特定の変調方式（例えば、ＢＰＳＫ、ＱＳＰＫ、Ｍ−ＰＳＫ、Ｍ−ＱＡＭなど）に基づいて変調され（つまり、シンボルマッピングされ）、このデータおよびパイロットは、異なる変調方式を使用して変調されうる。それぞれのデータストリームに対するデータ転送速度、符号化、および変調は、メモリ１５３２内に、またはＵＥ１５５０（図示せず）の他のメモリもしくは命令記憶媒体内に格納されている命令に基づきプロセッサ１５３０によって実行される命令によって決定されうる。
【０１０９】
次いで、すべてのデータストリームの変調シンボルがＴＸ  ＭＩＭＯプロセッサ１５２０に送られ、そこで、変調シンボルをさらに処理することができる（例えば、ＯＦＤＭ実装用に）。次いで、ＴＸ  ＭＩＭＯプロセッサ１５２０は、Ｎt個の変調シンボルストリームをＮt個の送信機（ＴＭＴＲ）１５２２1〜１５２２Ntに送ることができる。さまざまなシンボルを送信について関連付けられているＲＢにマッピングすることができる。
【０１１０】
ＴＸ  ＭＩＭＯプロセッサ１５３０は、ビームフォーミング重みをデータストリームのシンボルに適用することができ、またシンボルの送信元である１つまたは複数のアンテナに対応しうる。これは、ＵＥなどのネットワーク・ノードから送られる基準信号および／または空間情報によって、または連携して供給されるチャネル推定情報などの情報を使用することによって行うことができる。例えば、ビームＢ＝ｔｒａｎｓｐｏｓｅ（［ｂ１  ｂ２．．ｂNt］）は、それぞれの送信アンテナに対応する重みの集合からなる。ビームにそって送信することは、そのアンテナに対するビーム重みによってスケーリングされたすべてのアンテナにそって変調シンボルｘを送信することに対応する、つまり、アンテナｔ上では、送信信号はｂｔ＊ｘである。複数のビームが送信される場合、１本のアンテナにおける送信信号は、異なるビームに対応する信号の総和である。これは、Ｂ１ｘ１＋Ｂ２ｘ２＋ＢＮsｘＮsという数式で表すことができるが、ただし、Ｎｓ個のビームが送信され、ｘｉはＢｉを使用して送られる変調シンボルである。さまざまな実装において、ビームはさまざまな方法で選択することが可能である。例えば、ビームは、ＵＥからチャネルフィードバック、ｅＮＢで利用可能なチャネルに関する知識に基づき、または隣接マクロセルなどでの干渉抑圧を円滑にするためにＵＥから送られる情報に基づき、選択することが可能である。
【０１１１】
それぞれの送信機サブシステム１５２２1から１５２２Ntは、それぞれのシンボルストリームを受信し、処理して、１つまたは複数のアナログ信号を生成し、さらに、それらのアナログ信号を調整（例えば、増幅、フィルタ処理、およびアップコンバート）して、ＭＩＭＯチャネルで伝送するのに適した変調信号を生成する。次いで、送信機１５２２1から１５２２NtのＮt個の変調信号は、Ｎt個のアンテナ１５２４1から１５２４Ntからそれぞれ送信される。
【０１１２】
ＵＥ１５５０において、送信された変調信号は、Ｎr個のアンテナ１５５２1から１５５２Nrによって受信され、それぞれのアンテナ１５５２からの受信された信号は、各受信機（ＲＣＶＲ）１５５４1から１５５４Nrに送られる。それぞれの受信機１５５４は、それぞれの受信信号を調整（例えば、フィルタ処理、増幅、およびダウンコンバート）し、調整信号を２値化して、サンプルを形成し、さらに、それらのサンプルを処理して対応する「受信」シンボルストリームを形成する。
【０１１３】
次いで、ＲＸデータプロセッサ１５６０は、特定の受信機処理技術に基づきＮr個の受信機１５５４1から１５５２NrからＮr個の受信機シンボルストリームを受信して、処理し、Ｎs個の「検出」シンボルストリームを形成し、Ｎs個の送信シンボルストリームの推定を行う。次いで、ＲＸデータプロセッサ１５６０は、それぞれの検出シンボルストリームを復調し、逆インターリーブし、復号して、そのデータストリームに対するトラヒックデータを復元する。ＲＸデータプロセッサ１５６０による処理は、典型的には、基地局１５１０におけるＴＸ  ＭＩＭＯプロセッサ１５２０とＴＸデータプロセッサ１５１４とによって実行される処理を補完するものである。
【０１１４】
プロセッサ１５７０は、以下でさらに説明するように使用するプリコーディング行列を定期的に決定することができる。プロセッサ１５７０は、行列添え字部分および階数値部分を含むことができるリバースリンク・メッセージを作成することができる。さまざまな態様において、リバースリンク・メッセージは、通信リンクおよび／または受信データストリームに関するさまざまな種類の情報を含みうる。次いで、リバースリンク・メッセージは、データソース１５３６から多数のデータストリームに対するトラヒックデータも受信しうるＴＸデータプロセッサ１５３６によって処理され、次いで、変調装置１５８０によって変調され、送信機１５５４1〜１５５４Nrによって調整され、基地局１５１０に送り返されうる。基地局１５１０に送り返された情報は、ビームフォーミングを行って基地局１５１０からの干渉を抑圧するために電力レベルおよび／または空間情報を含むものとしてよい。
【０１１５】
基地局１５１０において、ＵＥ１５５０からの変調信号は、アンテナ１５２４によって受信され、受信機１５２２によって調整され、復調装置１５４０によって復調され、ＲＸデータプロセッサ１５４２によって処理され、こうして、ＵＥ１５５０によって送信されたメッセージを抽出する。次いで、プロセッサ１５３０が、ビームフォーミング重みを決定するのにどのプリコーディング行列を使用するかを決定し、次いで、抽出されたメッセージを処理する。
【０１１６】
いくつかの構成では、ワイヤレス通信用の装置は、本明細書で説明されているようなさまざまな機能を実行するための手段を備える。一態様では、前記の手段は、１つまたは複数のプロセッサおよび、図１５に示されているような実施形態が常駐し、前記の手段によって規定される機能を実行するように構成された、関連付けられているメモリとすることができる。例えば、本明細書で説明されているようなクロスセル調整および情報送信機能を実行するための図１〜６と１５とに示されているようなＵＥ、ｅＮＢ、および／または他のネットワーク・ノード内に常駐するモジュールまたは装置がありえる。別の態様では、前記の手段は、前記の手段によって規定される機能を実行するように構成されたモジュールまたは装置とすることができる。
【０１１７】
１つまたは複数の例示的な実施形態において、説明されている方法およびプロセスは、ハードウェア、ソフトウェア、ファームウェア、またはこれらの組み合わせで実装することができる。ソフトウェアで実装された場合、これらの機能は、コンピュータ可読媒体上に１つまたは複数の命令もしくはコードとして格納されるか、または符号化されうる。コンピュータ可読媒体はコンピュータ記憶媒体を含む。記憶媒体は、コンピュータによってアクセスできる利用可能な任意の媒体とすることができる。例えば、限定はしないが、このようなコンピュータ可読媒体としては、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または命令またはデータ構造体の形態で所望のプログラムコードを搬送または格納するために使用することができ、またコンピュータによってアクセスできる他の媒体が挙げられる。本明細書で使用されているような、「ｄｉｓｋ」と「ｄｉｓｃ」は、コンパクトディスク（ＣＤ）とレーザーディスク（登録商標）と光ディスクとデジタル多用途ディスク（ＤＶＤ）とフロッピー（登録商標）ディスクとブルーレイ（登録商標）ディスクとを含み、「ｄｉｓｋ」は通常磁気的にデータを再現し、「ｄｉｓｃ」はレーザーを使って光学的にデータを再現する。上記の組み合わせも、コンピュータ可読媒体の範囲に収まらなければならない。
【０１１８】
開示されているプロセスおよび方法におけるステップもしくは段階の特定の順序または階層は、例示的アプローチの例であることを理解されたい。設計優先事項に基づき、プロセスにおけるステップの特定の順序もしくは階層を、本開示の範囲内に留まりつつ再配置構成することが可能であることは理解される。添付の方法クレームは、サンプル順序でのさまざまなステップの要素を提示するものであり、提示された特定の順序または階層に限ることを意味するものではない。
【０１１９】
当業者であれば、情報および信号は、さまざまな異なる技術と技法とを使用して表すことができることを理解するであろう。例えば、上の説明全体を通して参照されていると思われるデータ、命令、コマンド、情報、信号、ビット、シンボル、およびチップは、電圧、電流、電磁波、磁場または磁気粒子、光場または光粒子、これらの組み合わせにより表すことができる。
【０１２０】
さらに、当業者であれば、本明細書で開示されている実施形態に関して説明されているさまざまな例示的な論理ブロック、モジュール、回路、およびアルゴリズムステップは、電子ハードウェア、コンピュータソフトウェア、またはその両方の組み合わせとして実装することができることを理解するであろう。ハードウェアとソフトウェアとを入れ替えて使用できることを明確に例示するために、上では、さまざまな例示的なコンポーネント、ブロック、モジュール、回路、およびステップが、一般的にその機能に関して説明されている。このような機能がハードウェアまたはソフトウェアとして実施されるかどうかは、特定の応用例とシステム全体に課される設計制約とよって決まる。当業者であれば、それぞれの特定の用途についてさまざまな方法により説明されている機能を実装することができるが、そのような実装決定は、本開示の範囲からの逸脱を引き起こすものとして解釈すべきではない。
【０１２１】
本明細書で開示されている実施形態に関して説明されているさまざまな例示的な論理ブロック、モジュール、および回路は、汎用プロセッサ、デジタルシグナルプロセッサ（ＤＳＰ）、特定用途向け集積回路（ＡＳＩＣ）、フィールド・プログラマブル・ゲートアレイ（ＦＰＧＡ）または他のプログラム可能論理デバイス、ディスクリート・ゲートまたはトランジスタ・ロジック、ディスクリート・ハードウェア・コンポーネント、または本明細書で説明されている機能を実行するように設計されているこれらの任意の組み合わせにより実装または実行することができる。汎用プロセッサは、マイクロプロセッサであってよいが、代替えとして、プロセッサは、任意の従来のプロセッサ、コントローラ、マイクロコントローラ、または状態機械であってよい。プロセッサは、コンピューティングデバイスの組み合わせ、例えば、ＤＳＰとマイクロプロセッサの組み合わせ、複数のマイクロプロセッサ、ＤＳＰコアと連携する１つまたは複数のマイクロプロセッサ、または他のそのような構成としても実装されうる。いくつかの実装では、プロセッサは、通信デバイスまたは他のモバイルもしくはポータブルデバイス内に機能を実装するように特に設計されている通信プロセッサなどのプロセッサとすることができる。
【０１２２】
本明細書で開示されている実施形態に関して説明されている方法、プロセス、またはアルゴリズムのステップもしくは段階は、ハードウェアで直接、ハードウェアにより実行されるソフトウェア・モジュールにより、またはこれら２つの組み合わせにより具現化することができる。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または当技術分野で知られている他の形態の記憶媒体に格納することができる。例示的な記憶媒体は、プロセッサがその記憶媒体から情報を読み込み、その記憶媒体に情報を書き込めるようにプロセッサに結合される。代替的形態では、記憶媒体は、プロセッサに一体化することができる。プロセッサおよび記憶媒体は、ＡＳＩＣに収めることもできる。ＡＳＩＣは、ユーザー端末に収めることができる。代替形態では、プロセッサおよび記憶媒体は、ユーザー端末内のディスクリートコンポーネントとして常駐することができる。
【０１２３】
特許請求の範囲は本明細書に示した態様に限るものではなく、請求項の用語と一致する範囲に収まるものであることを意図しており、単数の要素への言及は、特にそのように記されていない限り「１つおよび１つだけ」を意味するものではなく、むしろ「１つまたは複数」を意味するものであることを意図している。特に断りのない限り、「いくつか」という言い回しは、１つまたは複数を意味する。項目のリスト「のうちの少なくとも１つ」を指すフレーズは、単数の構成要素を含む、項目の任意の組み合わせを指す。例えば、「ａ、ｂ、またはｃのうちの少なくとも１つ」は、ａ、およびｂ、およびｃ、およびａとｂ、およびａとｃ、およびｂとｃ、およびａとｂとｃを包含することを意図されている。
【０１２４】
開示されている態様を前記のように提示したのは、当業者が開示を製作または使用することができるようにするためである。これらの態様に対しさまざまな修正を加えられることは、当業者にとっては明白であろうし、また本明細書で定義されている一般原理は、本開示の精神または範囲から逸脱することなく他の態様にも適用することができる。したがって、本開示は、本明細書に示されている態様に限定されることを意図されておらず、本明細書で開示されている原理および新規性のある特徴と一致する最も広い範囲を適用されることを意図されている。以下の請求項およびその等価物が本開示の範囲を定めることが意図されている。
以下に、本願出願の当初の特許請求の範囲に記載された発明を付記する。
［Ｃ１］
ワイヤレス通信システム内のノード間の調整された送信を行うための方法であって、
第１の基地局と第２の基地局との間で、ダウンリンク（ＤＬ）チャネル・リソース構成を、制御チャネルを含むＤＬチャネルについて決定することであって、前記ＤＬチャネル・リソース構成は前記第２の基地局と前記第１の基地局によるサービスを受けるユーザー機器（ＵＥ）との間の干渉を最小にするように決定されることと、
前記第２の基地局から、前記ＤＬチャネル・リソース構成に従って制御チャネル信号を送信することと、
を備える方法。
［Ｃ２］
前記決定することは、制御チャネル・シグナリングのために前記第１の基地局と前記第２の基地局との間に異なる数のシンボルを割り当てることを含むＣ１に記載の方法。
［Ｃ３］
前記ＤＬチャネル・リソース構成は、リソース要素（ＲＥ）レベル、ＲＥＧレベル、および制御チャネル要素（ＣＣＥ）レベルのうちの少なくとも１つに基づき決定されたチャネル構成に関係するＣ１に記載の方法。
［Ｃ４］
前記ＤＬチャネル・リソース構成は、１つまたは複数のサブフレームに関して動的にまたは半静的に決定されるＣ１に記載の方法。
［Ｃ５］
前記ＤＬチャネル・リソース構成は、無線フレームの部分集合に関して決定されるＣ１に記載の方法。
［Ｃ６］
前記ＤＬチャネルは、物理ダウンリンク共有チャネル（ＰＤＳＣＨ）をさらに備えるＣ１に記載の方法。
［Ｃ７］
前記ＤＬチャネルは、物理ダウンリンク制御チャネル（ＰＤＣＣ）、物理制御フォーマット・インジケータ・チャネル（ＰＣＦＩＣＨ）、物理ハイブリッドＡＲＱインジケータ（ＰＨＩＣＨ）チャネルのうちの１つまたは複数を備えるＣ１に記載の方法。
［Ｃ８］
干渉を前記最小にすることは、前記第１の基地局からの１つまたは複数のチャネルと前記第２の基地局からの１つまたは複数のチャネルとの間の衝突の割合を所定の閾値より低い値に設定するようにＤＬチャネル・リソース構成を決定することを含むＣ１に記載の方法。
［Ｃ９］
前記１つまたは複数のチャネルは、ＰＤＣＣＨ、ＰＣＦＩＣＨ、ＰＨＩＣＨ、およびＰＤＳＣＨのうちの１つまたは複数を含むＣ１に記載の方法。
［Ｃ１０］
コンピュータに、
第１の基地局と第２の基地局との間で、ダウンリンク（ＤＬ）チャネル・リソース構成を、制御チャネルを含むＤＬチャネルについて決定することであって、前記ＤＬチャネル・リソース構成は前記第２の基地局と前記第１の基地局によるサービスを受けるユーザー機器（ＵＥ）との間の干渉を最小にするように決定されることと、
前記第２の基地局から、前記ＤＬチャネル・リソース構成に従って制御チャネル信号を送信することと、を行わせるためのコードを格納するコンピュータ可読媒体を備えるコンピュータプログラム製品。
［Ｃ１１］
前記コードは、第１の基地局と第２の基地局との間で制御チャネル・シグナリングのために前記第１の基地局と前記第２の基地局との間に異なる数のシンボルを割り当てることによって決定するためのコードを含むＣ１０に記載のコンピュータプログラム製品。
［Ｃ１２］
前記ＤＬチャネル・リソース構成は、リソース要素（ＲＥ）レベル、ＲＥＧレベル、および制御チャネル要素（ＣＣＥ）レベルのうちの少なくとも１つに基づき決定されたチャネル構成に関係するＣ１０に記載のコンピュータプログラム製品。
［Ｃ１３］
前記ＤＬチャネル・リソース構成は、１つまたは複数のサブフレームに関して動的にまたは半静的に決定されるＣ１０に記載のコンピュータプログラム製品。
［Ｃ１４］
前記コードは、前記ＤＬチャネル・リソース構成を無線フレームの部分集合に関して決定するためのコードを含むＣ１０に記載のコンピュータプログラム製品。
［Ｃ１５］
前記ＤＬチャネルは、物理ダウンリンク共有チャネル（ＰＤＳＣＨ）をさらに備えるＣ１０に記載のコンピュータプログラム製品。
［Ｃ１６］
前記ＤＬチャネルは、物理ダウンリンク制御チャネル（ＰＤＣＣ）、物理制御フォーマット・インジケータ・チャネル（ＰＣＦＩＣＨ）、物理ハイブリッドＡＲＱインジケータ（ＰＨＩＣＨ）チャネルのうちの１つまたは複数を備えるＣ１０に記載のコンピュータプログラム製品。
［Ｃ１７］
前記コードは、前記第１の基地局からの１つまたは複数のチャネルと前記第２の基地局からの１つまたは複数のチャネルとの間の衝突の割合を所定の閾値より低い値に設定するようにＤＬチャネル・リソース構成を決定するためのコードを含むＣ１０に記載のコンピュータプログラム製品。
［Ｃ１８］
前記１つまたは複数のチャネルは、ＰＤＣＣ、ＰＣＦＩＣＨ、ＰＨＩＣＨ、およびＰＤＳＣＨのうちの１つまたは複数を含むＣ１０に記載のコンピュータプログラム製品。
［Ｃ１９］
通信デバイスであって、
第１の基地局と第２の基地局との間で、ダウンリンク（ＤＬ）チャネル・リソース構成を、制御チャネルを含むＤＬチャネルについて決定するように構成されたプロセッサモジュールであって、前記ＤＬチャネル・リソース構成は前記第２の基地局と前記第１の基地局によるサービスを受けるユーザー機器（ＵＥ）との間の干渉を最小にするように決定される、プロセッサモジュールと、
前記第２の基地局から、前記ＤＬチャネル・リソース構成に従って制御チャネル信号を送信するように構成された送信機モジュールと、
を備える通信デバイス。
［Ｃ２０］
前記プロセッサモジュールは、制御チャネル・シグナリングのために前記第１の基地局と前記第２の基地局との間に異なる数のシンボルを割り当てることによって前記リソース構成を決定するように構成されるＣ１９に記載の通信デバイス。
［Ｃ２１］
前記ＤＬチャネル・リソース構成は、リソース要素（ＲＥ）レベル、ＲＥＧレベル、および制御チャネル要素（ＣＣＥ）レベルのうちの少なくとも１つに基づき決定されたチャネル構成に関係するＣ１９に記載の通信デバイス。
［Ｃ２２］
前記プロセッサモジュールは、１つまたは複数のサブフレームに関して前記ＤＬチャネル・リソース構成を動的にまたは半静的に決定するように構成されるＣ１９に記載の通信デバイス。
［Ｃ２３］
前記プロセッサモジュールは、前記ＤＬチャネル・リソース構成を無線フレームの部分集合に関して決定するように構成されるＣ１９に記載の通信デバイス。
［Ｃ２４］
前記ＤＬチャネルは、物理ダウンリンク共有チャネル（ＰＤＳＣＨ）をさらに備えるＣ１９に記載の通信デバイス。
［Ｃ２５］
前記ＤＬチャネルは、物理ダウンリンク制御チャネル（ＰＤＣＣ）、物理制御フォーマット・インジケータ・チャネル（ＰＣＦＩＣＨ）、物理ハイブリッドＡＲＱインジケータ（ＰＨＩＣＨ）チャネルのうちの１つまたは複数を備えるＣ１９に記載の通信デバイス。
［Ｃ２６］
前記プロセッサは、前記第１の基地局からの１つまたは複数のチャネルと前記第２の基地局からの１つまたは複数のチャネルとの間の衝突の割合を所定の閾値より低い値に設定するように前記ＤＬチャネル・リソース構成を決定することによって干渉を最小にするように構成されるＣ１９に記載の通信デバイス。
［Ｃ２７］
前記１つまたは複数のチャネルは、ＰＤＣＣ、ＰＣＦＩＣＨ、ＰＨＩＣＨ、およびＰＤＳＣＨのうちの１つまたは複数を含むＣ２６に記載の通信デバイス。
［Ｃ２８］
通信デバイスであって、
第１の基地局と第２の基地局との間で、ダウンリンク（ＤＬ）チャネル・リソース構成を制御チャネルを含むＤＬチャネルについて決定するための手段であって、前記ＤＬチャネル・リソース構成は前記第２の基地局と前記第１の基地局によるサービスを受けるユーザー機器（ＵＥ）との間の干渉を最小にするように決定される、手段と、
前記第２の基地局から、前記ＤＬチャネル・リソース構成に従って制御チャネル信号を送信するための手段と、
を備える通信デバイス。
［Ｃ２９］
ワイヤレス通信を円滑にするための方法であって、
第２のネットワーク・セルに関連付けられている制御情報を、第１のネットワーク・セル内の第１の基地局から、前記第２のネットワーク・セルに関連付けられている１つまたは複数のＵＥに送信することを備える方法。
［Ｃ３０］
前記第２のネットワーク・セル内の前記第２の基地局から前記制御チャネル情報を受信することをさらに備えるＣ２９に記載の方法。
［Ｃ３１］
前記制御チャネル情報は、物理ダウンリンク制御チャネル（ＰＤＣＣＨ）、物理ハイブリッドＡＲＱインジケータ・チャネル（ＰＨＩＣＨ）、および同期チャネルのうちの少なくとも１つに関係するＣ２９に記載の方法。
［Ｃ３２］
前記決定することは、前記第１の基地局から受信された前記制御情報によって決定される前記第２のネットワーク・セルに関連付けられている特性に基づきダウンリンク・チャネル・リソースの集合を識別することを含むＣ２９に記載の方法。
［Ｃ３３］
前記特性は、前記第２のネットワーク・セルのセルＩＤ、ＰＣＦＩＣＨ構成、およびＰＨＩＣＨ構成のうちの少なくとも１つを備えるＣ３２に記載の方法。
［Ｃ３４］
前記制御情報は、制御シグナリング、ページング情報、およびシステム情報ブロードキャスト（ＳＩＢ）情報のうちの１つまたは複数を備えるＣ２９に記載の方法。
［Ｃ３５］
前記送信することは、前記第２のネットワーク・セルに関連付けられているダウンリンク・チャネル情報と一致するＰＣＦＩＣＨ、ＰＤＣＣＨ、およびＰＨＩＣＨのうちの少なくとも１つを備えるダウンリンク・チャネル上で前記情報を送ることを含むＣ２９に記載の方法。
［Ｃ３６］
コンピュータに、
第１のネットワーク・セルに関連付けられている第１の基地局において、第２のネットワーク・セルに関連付けられている制御情報を受信することと、
前記制御情報を前記第１の基地局から前記第２のネットワーク・セルに関連付けられている１つまたは複数のＵＥに送信することと、
を行わせるためのコードを格納するコンピュータ可読媒体を備えるコンピュータプログラム製品。
［Ｃ３７］
通信デバイスであって、
第１のネットワーク・セルに関連付けられている第１の基地局において、第２のネットワーク・セルに関連付けられている制御情報を受信するように構成されているプロセッサモジュールと、
前記制御情報を前記第１の基地局から前記第２のネットワーク・セルに関連付けられている１つまたは複数のＵＥに送信するように構成されている送信機モジュールと、
を備える通信デバイス。
［Ｃ３８］
通信デバイスであって、
第１のネットワーク・セルに関連付けられている第１の基地局において、第２のネットワーク・セルに関連付けられている制御情報を受信するための手段と、
前記制御情報を前記第１の基地局から前記第２のネットワーク・セルに関連付けられている１つまたは複数のＵＥに送信するための手段と、
を備える通信デバイス。
［Ｃ３９］
ワイヤレス通信の方法であって、
第１のセル内のサービスを提供する基地局からの信号送信を受信することと、
前記第１のネットワーク・セルに関連付けられているダウンリンク・チャネル・リソースに従って第２のセル内のサービスを提供しない基地局から送信された情報を受信することと、
を備える方法。
［Ｃ４０］
前記ダウンリンク・チャネル・リソースは、前記第１のネットワーク・セルに関連付けられている特性に基づき決定されるＣ３９に記載の方法。
［Ｃ４１］
前記特性は、前記第１のネットワーク・セルのセルＩＤ、ＰＣＦＩＣＨ構成、およびＰＨＩＣＨ構成のうちの少なくとも１つを備えるＣ４０に記載の方法。
［Ｃ４２］
前記情報は、制御シグナリング、ページング情報、およびＳＩＢ情報のうちの１つを備えるＣ３９に記載の方法。
［Ｃ４３］
前記受信することは、ＰＣＦＩＣＨ、ＰＤＣＣＨ、およびＰＨＩＣＨのうちの少なくとも１つを備えるダウンリンク・チャネル上で前記情報を受信することを含むＣ３９に記載の方法。
［Ｃ４４］
前記情報は、前記第１のネットワーク・セルに関連付けられているページング情報またはＳＩＢ情報の少なくとも一方を含み、前記情報を前記受信することはＰＤＳＣＨ上で前記情報を受信することを含むＣ３９に記載の方法。
［Ｃ４５］
前記情報は、前記第２のネットワーク・セルに関連付けられているＳＩＢ情報をさらに含み、前記第１のネットワーク・セルに関連付けられている前記ＳＩＢ情報は、前記第２のネットワーク・セルに関連付けられている前記ＳＩＢ情報に連結されるＣ４４に記載の方法。
［Ｃ４６］
コンピュータに、
第１のセル内のサービスを提供する基地局からの信号送信を受信し、前記第１のネットワーク・セルに関連付けられているダウンリンク・チャネル・リソースに従って第２のセル内のサービスを提供しない基地局から送信された情報を受信することを行わせるためのコードを格納するコンピュータ可読媒体を備えるコンピュータプログラム製品。
［Ｃ４７］
受信機モジュールであって、
第１のセル内のサービスを提供する基地局からの信号送信を受信し、
前記第１のネットワーク・セルに関連付けられているダウンリンク・チャネル・リソースに従って第２のセル内のサービスを提供しない基地局から送信された情報を受信するように構成された受信機モジュールを備える通信デバイス。
［Ｃ４８］
第１のセル内のサービスを提供する基地局からの信号送信を受信するための手段と、
前記第１のネットワーク・セルに関連付けられているダウンリンク・チャネル・リソースに従って第２のセル内のサービスを提供しない基地局から送信された情報を受信するための手段と、
を備える通信デバイス。
【図１】
0005639179.tif 000003
【図２】
0005639179.tif 000004
【図３】
0005639179.tif 000005
【図４Ａ】
0005639179.tif 000006
【図４Ｂ】
0005639179.tif 000007
【図５】
0005639179.tif 000008
【図６】
0005639179.tif 000009
【図７】
0005639179.tif 000010
【図８】
0005639179.tif 000011
【図９】
0005639179.tif 000012
【図１０】
0005639179.tif 000013
【図１１】
0005639179.tif 000014
【図１２】
0005639179.tif 000015
【図１３】
0005639179.tif 000016
【図１４】
0005639179.tif 000017
【図１５】
0005639179.tif 000018